(57)【要約】【課題】尿漏れが生じた際の吸収性物品の状態を適切に把握して、液漏れが生じないような吸収性物品の当て方を提案する当て方提案装置を提供する。【解決手段】当て方提案装置１は、吸収性物品１０に取り付けられた排尿センサー２０によって測定された、尿の濡れ広がりによるインピーダンス変化に基づく排尿データを、排尿時刻データと共に記憶する排尿データ記憶部５０と、吸収性物品１０に取り付けられたデータ収集部３０の加速度センサー３４によって測定された傾きデータを、時刻データと共に記憶する傾きデータ記憶部６０と、排尿データ記憶部５０及び傾きデータ記憶部６０に記憶されたデータから、排尿時における着用者の姿勢を判定する姿勢判定部７０と、吸収性物品１０の交換時における着用者への吸収性物品１０の当て方をアドバイスする当て方提案部８０とを含んで構成される。【選択図】図１
2018202154.tif 000002
【特許請求の範囲】
【請求項１】
尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、前記排尿データ記憶部及び前記傾きデータ記憶部に記憶されているデータから、排尿時における着用者の姿勢を判定する姿勢判定部と、吸収性物品の交換時における着用者への吸収性物品の当て方をアドバイスする当て方提案部とを含んでおり、
該当て方提案部は、介護者によって入力された、前記吸収性物品からの尿漏れを確認した時刻に基づいて、当該尿漏れを生じた前記吸収性物品が着用されている時間帯を特定すると共に、前記排尿データ記憶部及び前記傾きデータ記憶部に記憶されているデータに基づいて、前記姿勢判定部で判定された当該時間帯における排尿時の着用者の姿勢から、当該時間帯において前記吸収性物品から尿漏れを生じた場所を推定して、推定された場所から尿漏れが生じないような吸収性物品の当て方をアドバイスする吸収性物品の当て方提案装置。
【請求項２】
前記当て方提案部は、前記傾きデータ記憶部に記憶された当該時間帯における前記傾きデータから、当該時間帯における前記吸収性物品のズレの有無を推定して、ズレを生じていると推定された場合の提案も含めて、吸収性物品の当て方をアドバイスする請求項１記載の吸収性物品の当て方提案装置。
【請求項３】
推定された前記吸収性物品から尿漏れを生じた場所に対応する、吸収性物品の当て方に関するアドバイス項目を記憶するアドバイス項目記憶部を備えており、前記当て方提案部は、前記アドバイス項目記憶部に記憶されたアドバイス項目を選択して、推定された場所から尿漏れが生じないような吸収性物品の当て方をアドバイスする請求項１又は２記載の吸収性物品の当て方提案装置。
【請求項４】
尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、前記排尿データ記憶ステップ及び前記傾きデータ記憶ステップで記憶されたデータから、排尿時における着用者の姿勢を判定する姿勢判定ステップと、吸収性物品の交換時における着用者への吸収性物品の当て方をアドバイスする当て方提案ステップとを含んでおり、
該当て方提案ステップは、介護者によって入力された、前記吸収性物品からの尿漏れを確認した時刻に基づいて、当該尿漏れを生じた前記吸収性物品が着用されている時間帯を特定すると共に、前記排尿データ記憶ステップ及び前記傾きデータ記憶ステップで記憶されたデータに基づいて、前記姿勢判定ステップで判定された当該時間帯における排尿時の着用者の姿勢から、当該時間帯において前記吸収性物品から尿漏れを生じた場所を推定して、推定された場所から尿漏れが生じないような吸収性物品の当て方をアドバイスする吸収性物品の当て方提案方法。
【請求項５】
前記当て方提案ステップは、前記傾きデータ記憶ステップで記憶された当該時間帯における前記傾きデータから、当該時間帯における前記吸収性物品のズレの有無を推定して、ズレを生じていると推定された場合の提案も含めて、吸収性物品の当て方をアドバイスする請求項４記載の吸収性物品の当て方提案方法。
【請求項６】
推定された前記吸収性物品から尿漏れを生じた場所に対応する、吸収性物品の当て方に関するアドバイス項目を記憶するアドバイス項目記憶ステップを備えており、前記当て方提案ステップでは、前記アドバイス項目記憶ステップで記憶されたアドバイス項目を選択して、推定された場所から尿漏れが生じないような吸収性物品の当て方をアドバイスする請求項４又は５記載の吸収性物品の当て方提案方法。
【請求項７】
尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、排尿タイプ判定部と、排尿態様判定部と、動きタイプ判定部と、提案表示部とを含んでおり、
前記排尿タイプ判定部は、前記排尿データ記憶部に記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けし、
前記排尿態様判定部は、前記排尿データ記憶部に記憶されたデータに基づいて、排尿回数が夜に多い夜型タイプと、排尿回数が日中に多い日中型タイプと、一日中排尿が行われている一日中型タイプとに、着用者をタイプ分けし、
前記動きタイプ判定部は、前記傾きデータ記憶部に記憶されたデータに基づいて、動きが日中に多い日中型タイプと、動きが夜に多い夜型タイプと、１日中動きが少ない１日傾眠型タイプとに、着用者をタイプ分けし、
前記提案表示部は、前記排尿タイプ判定部、前記排尿態様判定部、及び前記動きタイプ判定部で各々タイプ分けされたタイプを掛け合わせて得られた、各々の掛け合わせタイプに対応するアドバイスを、アドバイス項目記憶部から取り出して表示する排尿タイプ分け提案装置。
【請求項８】
タイプ分け表示部を含んでおり、該タイプ分け表示部は、前記吸収性物品を着用する着用者が、前記排尿タイプ判定部、前記排尿態様判定部、及び前記動きタイプ判定部で各々タイプ分けされたいずれのタイプに属するかを、まとめて表示できる請求項７記載の排尿タイプ分け提案装置。
【請求項９】
尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、排尿タイプ判定ステップと、排尿態様判定ステップと、動きタイプ判定ステップと、提案表示ステップとを含んでおり、
前記排尿タイプ判定ステップは、前記排尿データ記憶ステップで記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けし、
前記排尿態様判定ステップは、前記排尿データ記憶ステップで記憶されたデータに基づいて、排尿回数が夜に多い夜型タイプと、排尿回数が日中に多い日中型タイプと、一日中排尿が行われている一日中型タイプとに、着用者をタイプ分けし、
前記動きタイプ判定ステップは、前記傾きデータ記憶ステップで記憶されたデータに基づいて、動きが日中に多い日中型タイプと、動きが夜に多い夜型タイプと、１日中動きが少ない１日傾眠型タイプとに、着用者をタイプ分けし、
前記提案表示ステップは、前記排尿タイプ判定ステップ、前記排尿態様判定ステップ、及び前記動きタイプ判定ステップで各々タイプ分けされたタイプを掛け合わせて得られた、各々の掛け合わせタイプに対応するアドバイスを、アドバイス項目記憶部から取り出して表示する排尿タイプ分け提案方法。
【請求項１０】
タイプ分け表示ステップを含んでおり、該タイプ分け表示ステップは、前記吸収性物品を着用する着用者が、前記排尿タイプ判定ステップ、前記排尿態様判定ステップ、及び前記動きタイプ判定ステップで各々タイプ分けされたいずれのタイプに属するかを、まとめて表示する請求項９記載の排尿タイプ分け提案方法。
【請求項１１】
尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、最初排尿後経過時間判定部と、最初排尿後姿勢判定部と、肌トラブル対処方法提案部とを含んでおり、
前記最初排尿後経過時間判定部は、前記排尿データ記憶部に記憶されたデータに基づいて、吸収性物品を交換した後に最初に排尿が吸収されてから、予め設定された所定の時間を経過したか否かを判定し、
前記最初排尿後姿勢判定部は、前記傾きデータ記憶部に記憶されたデータに基づいて、吸収性物品を交換した後に最初に排尿が吸収されてから、着用者が同じ姿勢を保持した状態で、予め設定された所定の時間が経過したか否かを判定し、
前記肌トラブル対処方法提案部は、前記最初排尿後姿勢判定部によって判定された、吸収性物品を交換した後に最初に排尿が吸収されてから、着用者が同じ姿勢を保持した状態で、予め設定された所定の時間を経過したか否かに応じた対処方法を、対処方法記憶部から取り出して提案する肌トラブル対処方提案装置。
【請求項１２】
尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、最初排尿後経過時間判定ステップと、最初排尿後姿勢判定ステップと、肌トラブル対処方法提案ステップとを含んでおり、
前記最初排尿後経過時間判定ステップは、前記排尿データ記憶ステップで記憶されたデータに基づいて、吸収性物品を交換した後に最初に排尿が吸収されてから、予め設定された所定の時間を経過したか否かを判定し、
前記最初排尿後姿勢判定ステップは、前記傾きデータ記憶部で記憶されたデータに基づいて、吸収性物品を交換した後に最初に排尿が吸収されてから、着用者が同じ姿勢を保持した状態で、予め設定された所定の時間が経過したか否かを判定し、
前記肌トラブル対処方法提案ステップは、前記最初排尿後姿勢判定ステップによって判定された、吸収性物品を交換した後に最初に排尿が吸収されてから、着用者が同じ姿勢を保持した状態で、予め設定された所定の時間を経過したか否かに応じた対処方法を、対処方法記憶部から取り出して提案する肌トラブル対処方提案方法。
【発明の詳細な説明】
【技術分野】
【０００１】
本発明は、吸収性物品の当て方提案装置、及び吸収性物品の当て方提案方法に関する。
【背景技術】
【０００２】
おむつ等の吸収性物品を利用する被介護者の介護に当たり、吸収性物品の交換作業を行う介護者の負担を軽減することが望まれている。また、介護者の負担となる吸収性物品の交換作業の手間を少なくするための技術が提案されている。
【０００３】
例えば、特許文献１には、排尿を検出するセンサーが取り付けられた吸収性物品と、センサーシグナルを処理して排尿パターンを導き出すプロセッサとを含む水分モニタリングシステムが記載されており、該システムを用いて、３〜５日間に亘って吸収性物品の濡れ（排尿パターン）をモニターし、着用者の排泄ケア計画を立てる態様が記載されている。また、特許文献１には、座位や側臥位等の着用者の姿勢を把握し得る別のセンサーを吸収性物品に取り付けることが記載されている。
【先行技術文献】
【特許文献】
【０００４】
【特許文献１】特許第５２８５６００号公報
【発明の概要】
【発明が解決しようとする課題】
【０００５】
吸収性物品を利用する介護において、特定の被介護者に、排尿された尿が吸収性物品の外に漏れ出る尿漏れが、特に夜間において頻繁に生じることがある。尿漏れが生じると、シーツの交換や着替え等の必要を生じることになって、着用者本人や、家族や介護者の負担が増すと共に、着用者の睡眠の妨げになる場合もある。また吸収性物品から尿漏れが生じる際には、着用者である被介護者は特定の姿勢であることが多く、被介護者の姿勢によって、吸収性物品が大きく傾いていたり、所定の位置からずれていたりすることが、尿漏れの原因となっていると考えられる。
【０００６】
このため、例えば吸収性物品から尿漏れが生じた際の吸収性物品の状態を把握することで、次の吸収性物品の交換時に、液漏れが生じないような吸収性物品の当て方を工夫できるようにし、これによって吸収性物品から尿漏れが生じないようにすると共に、着用者本人や、家族や介護者の負担を軽減することを可能にする技術の開発が望まれているが、例えば特許文献１に開示された従来の技術では、排尿を検出するセンサーや、着用者の姿勢を把握し得るセンサーが吸収性物品に取り付けられてはいるものの、尿漏れが生じた際の吸収性物品の状態を適切に把握して、吸収性物品の交換時に液漏れが生じないような吸収性物品の当て方を提案することは困難である。
【０００７】
従って、本発明は、尿漏れが生じた際の吸収性物品の状態を適切に把握して、液漏れが生じないような吸収性物品の当て方を提案することにより、吸収性物品から尿漏れが生じないようにすると共に、これによって着用者本人や、家族や介護者の負担を軽減することのできる吸収性物品の当て方提案装置、及び吸収性物品の当て方提案方法に関する。
【課題を解決するための手段】
【０００８】
本発明は、尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、前記排尿データ記憶部及び前記傾きデータ記憶部に記憶されているデータから、排尿時における着用者の姿勢を判定する姿勢判定部と、吸収性物品の交換時における着用者への吸収性物品の当て方をアドバイスする当て方提案部とを含んでおり、該当て方提案部は、例えば介護者によって入力された、前記吸収性物品からの尿漏れを確認した時刻に基づいて、当該尿漏れを生じた前記吸収性物品が着用されている時間帯を特定すると共に、前記排尿データ記憶部及び前記傾きデータ記憶部に記憶されているデータに基づいて、前記姿勢判定部で判定された当該時間帯における排尿時の着用者の姿勢から、当該時間帯において前記吸収性物品から尿漏れを生じた場所を推定して、推定された場所から尿漏れが生じないような吸収性物品の当て方をアドバイスする吸収性物品の当て方提案装置である。
【０００９】
また、本発明は、尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、前記排尿データ記憶ステップ及び前記傾きデータ記憶ステップで記憶されたデータから、排尿時における着用者の姿勢を判定する姿勢判定ステップと、吸収性物品の交換時における着用者への吸収性物品の当て方をアドバイスする当て方提案ステップとを含んでおり、該当て方提案ステップは、例えば介護者によって入力された、前記吸収性物品からの尿漏れを確認した時刻に基づいて、当該尿漏れを生じた前記吸収性物品が着用されている時間帯を特定すると共に、前記排尿データ記憶ステップ及び前記傾きデータ記憶ステップで記憶されたデータに基づいて、前記姿勢判定ステップで判定された当該時間帯における排尿時の着用者の姿勢から、当該時間帯において前記吸収性物品から尿漏れを生じた場所を推定して、推定された場所から尿漏れが生じないような吸収性物品の当て方をアドバイスする吸収性物品の当て方提案方法。である。
【００１０】
また、本発明は、尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、排尿タイプ判定部と、排尿態様判定部と、動きタイプ判定部と、提案表示部とを含んでおり、前記排尿タイプ判定部は、前記排尿データ記憶部に記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けし、前記排尿態様判定部は、前記排尿データ記憶部に記憶されたデータに基づいて、排尿回数が夜に多い夜型タイプと、排尿回数が日中に多い日中型タイプと、一日中排尿が行われている一日中型タイプとに、着用者をタイプ分けし、前記動きタイプ判定部は、前記傾きデータ記憶部に記憶されたデータに基づいて、動きが日中に多い日中型タイプと、動きが夜に多い夜型タイプと、１日中動きが少ない１日傾眠型タイプとに、着用者をタイプ分けし、前記提案表示部は、前記排尿タイプ判定部、前記排尿態様判定部、及び前記動きタイプ判定部で各々タイプ分けされたタイプを掛け合わせて得られた、各々の掛け合わせタイプに対応するアドバイスを、アドバイス項目記憶部から取り出して表示する排尿タイプ分け提案装置である。
【００１１】
また、本発明は、尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、排尿タイプ判定ステップと、排尿態様判定ステップと、動きタイプ判定ステップと、提案表示ステップとを含んでおり、前記排尿タイプ判定ステップは、前記排尿データ記憶ステップで記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けし、前記排尿態様判定ステップは、前記排尿データ記憶ステップで記憶されたデータに基づいて、排尿回数が夜に多い夜型タイプと、排尿回数が日中に多い日中型タイプと、一日中排尿が行われている一日中型タイプとに、着用者をタイプ分けし、前記動きタイプ判定ステップは、前記傾きデータ記憶ステップで記憶されたデータに基づいて、動きが日中に多い日中型タイプと、動きが夜に多い夜型タイプと、１日中動きが少ない１日傾眠型タイプとに、着用者をタイプ分けし、前記提案表示ステップは、前記排尿タイプ判定ステップ、前記排尿態様判定ステップ、及び前記動きタイプ判定ステップで各々タイプ分けされたタイプを掛け合わせて得られた、各々の掛け合わせタイプに対応するアドバイスを、アドバイス項目記憶部から取り出して表示する排尿タイプ分け提案方法である。
【００１２】
また、本発明は、尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、最初排尿後経過時間判定部と、最初排尿後姿勢判定部と、肌トラブル対処方法提案部とを含んでおり、前記最初排尿後経過時間判定部は、前記排尿データ記憶部に記憶されたデータに基づいて、吸収性物品を交換した後に最初に排尿が吸収されてから、予め設定された所定の時間を経過したか否かを判定し、前記最初排尿後姿勢判定部は、前記傾きデータ記憶部に記憶されたデータに基づいて、吸収性物品を交換した後に最初に排尿が吸収されてから、着用者が同じ姿勢を保持した状態で、予め設定された所定の時間が経過したか否かを判定し、前記肌トラブル対処方法提案部は、前記最初排尿後姿勢判定部によって判定された、吸収性物品を交換した後に最初に排尿が吸収されてから、着用者が同じ姿勢を保持した状態で、予め設定された所定の時間を経過したか否かに応じた対処方法を、対処方法記憶部から取り出して提案する肌トラブル対処方提案装置である。
【００１３】
また、本発明は、尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、最初排尿後経過時間判定ステップと、最初排尿後姿勢判定ステップと、肌トラブル対処方法提案ステップとを含んでおり、前記最初排尿後経過時間判定ステップは、前記排尿データ記憶ステップで記憶されたデータに基づいて、吸収性物品を交換した後に最初に排尿が吸収されてから、予め設定された所定の時間を経過したか否かを判定し、前記最初排尿後姿勢判定ステップは、前記傾きデータ記憶部で記憶されたデータに基づいて、吸収性物品を交換した後に最初に排尿が吸収されてから、着用者が同じ姿勢を保持した状態で、予め設定された所定の時間が経過したか否かを判定し、前記肌トラブル対処方法提案ステップは、前記最初排尿後姿勢判定ステップによって判定された、吸収性物品を交換した後に最初に排尿が吸収されてから、着用者が同じ姿勢を保持した状態で、予め設定された所定の時間を経過したか否かに応じた対処方法を、対処方法記憶部から取り出して提案する肌トラブル対処方提案方法である。
【発明の効果】
【００１４】
本発明の吸収性物品の当て方提案装置、又は吸収性物品の当て方提案方法によれば、尿漏れが生じた際の吸収性物品の状態を適切に把握して、液漏れが生じないような吸収性物品の当て方を提案することにより、吸収性物品から尿漏れが生じないようにすると共に、これによって着用者本人や、家族や介護者の負担を軽減することができる。
【図面の簡単な説明】
【００１５】
【図１】図１は、本発明の好ましい一実施形態に係る吸収性物品の当て方提案装置を示す概略図である。
【図２】図２は、図１に示す吸収性物品の当て方提案装置と組み合わせて用いる吸収性物品の斜視図である。
【図３】図１に示す尿取りパッドに取り付けられた排尿センサーを、当該排尿センサーを覆う被覆シートの一部を剥離した状態で示す、尿取りパッドを非肌対向面側から視た裏面図である。
【図４】排尿センサー及び被覆シートが取り付けられた尿取りパッドを説明する、（ａ）は、図３のＡ−Ａに沿った拡大略示断面図、（ｂ）は、図３のＢ−Ｂに沿った拡大略示断面図である。
【図５】尿取りパッドに配設される排尿センサー、及び排尿センサーを覆って取り付けられる被覆シートを説明する、被覆シートを取り付ける前の状態の尿取りパッドと被覆シートの裏面図である。
【図６】インピーダンス変化を検出して収集するデータ収集部のブロック図である。
【図７】図７は、図１に示す吸収性物品の当て方提案装置の構成例を示す概略図である。
【図８】図８（ａ）〜（ｃ）は、吸収性物品の着用者の姿勢によって吸収性物品に取り付けられた加速度センサーの各軸の方向の傾きが異なることを説明する説明図である。
【図９】図９は、装着状態判定フローを説明するチャートである。
【図１０】図１０は、本発明に係る情報出力部によって出力される、濡れ時における吸収性物品の装着状態の情報の表示例を示す図である。
【図１１】図１１（ａ）及び（ｂ）は、本発明に係る情報出力部によって出力される、吸収性物品の装着状態に関する提案情報の表示例を示す図である。
【図１２】図１２は、尿吸収量とおむつの傾きとの時系列情報から、当て方提案部によっておむつの当て方をアドバイスする手順の説明図である。
【図１３】図１３は、アドバイス項目記憶部によって記憶された尿漏れを防止し得る吸収性物品の当て方のアドバイス情報を例示するチヤートである。
【図１４】図１４は、本発明の吸収性物品の当て方提案方法を説明するフローチャートである。
【図１５】図１５は、本発明の好ましい一実施形態に係る吸収性物品装着状態提示システムを示す概略図である。
【図１６】図１６は、図１５に示す濡れデータ取得装置及び装着状態情報提示装置の構成例を示す概略図である。
【図１７】図１７は、排尿タイプ分け提案装置の構成例を示す概略図である。
【図１８】図１８は、タイプ分け表示部によって表示された、着用者がいずれのタイプに属するかをまとめて表示する態様を例示するチャートである。
【図１９】図１９は、排尿タイプ分け提案方法を説明するフローチャートである。
【図２０】図２０は、肌トラブル対処方提案装置の構成例を示す概略図である。
【図２１】図２１は、尿吸収量とおむつの傾きとの時系列情報から、肌トラブル対処方をアドバイスする手順の説明図である。
【図２２】図２２は、肌トラブル対処方提案方法を説明するフローチャートである。
【発明を実施するための形態】
【００１６】
以下、本発明の吸収性物品の当て方提案装置１を、その好ましい実施形態に基づき図面を参照して説明する。本発明の好ましい一実施形態に係る吸収性物品の当て方提案装置１は、図１及び図７に示すように、尿を吸収する吸収性物品１０に取り付けられた排尿センサー２０（図１、図３参照）によって測定された、吸収性物品１０の尿の濡れ広がりによるインピーダンス変化に基づく着用者の排尿データを記憶する排尿データ記憶部５０と、吸収性物品１０に取り付けられた加速度センサー３４によって測定された傾きデータを記憶する傾きデータ記憶部６０とを含む。吸収性物品１０の装着状態が、吸収性物品１０からの尿漏れの発生の起因となる場合がある。本実施形態の当て方提案装置１は、例えば病院や介護施設等において、看護士等の介護者が、吸収性物品１０から尿漏れが生じた際の吸収性物品１０の傾きや位置ずれ等の装着状態を適切に把握して、次の交換時に尿漏れが生じないような当て方で、吸収性物品１０を装着できるようにするために用いられる。
【００１７】
本実施形態において、排尿センサー２０が取り付けられる吸収性物品１０（図１、図２参照）は、吸収性を備える吸収性物品である尿とりパッド１１に排尿センサー２０を取付けたものであり、使い捨ておむつ（おむつ本体）１２と組合せて用いることが出来る。
【００１８】
吸収性物品１０は、使い捨ておむつ１２と組合せて用いることが出来、吸収性物品１０と組み合わされた使い捨ておむつ１２は、図２に示すように、腹側領域Ａ、背側領域Ｂ及び股下領域Ｃに区分できる。ここで、腹側領域Ａは着用時に着用者の腹側に位置する部位であり、背側領域Ｂは着用時に着用者の背側に位置する部位であり、股下領域Ｃは腹側領域Ａと背側領域Ｂとの間に配される部位である。
図中の「Ｙ方向」は、腹側領域Ａから背側領域Ｂへ、或いは背側領域Ｂから腹側領域Ａへ延びる方向であり、尿とりパッド１１又は使い捨ておむつ１２の長手方向と同じ方向でもある。また図中の「Ｘ方向」は、Ｙ方向に直交する方向であり、尿とりパッド１１又は使い捨ておむつ１２の幅方向と同じ方向でもある。また図４に示す「Ｚ方向」は、尿とりパッド１１又は使い捨ておむつ１２の厚みと同じ方向でもある。
また、本明細書において、「肌対向面」とは、例えば尿とりパッド１１を構成する後述する表面シート１１ａなどの各部材の表裏両面のうち、着用時に着用者の肌側に配される面であり、「非肌対向面」とは、例えば尿とりパッド１１を構成する後述する表面シート１１ａなどの各部材の表裏両面のうち、着用時に着用者の肌側とは反対側に向けられる面である。
【００１９】
本実施形態の吸収性物品１０は、排尿センサー２０が取り付けられた尿とりパッド１１であり、おむつ本体（使い捨ておむつ）１２と組み合わせて使うことが出来る。おむつ本体１２は、図２に示すように、特開２０１５−１１９７８４号公報に記載の使い捨ておむつと同様の構成を備える。図２では、インナーとしての尿とりパッド１１と、アウターとしてのおむつ本体（使い捨ておむつ）１２とを組み合わせている。おむつ本体１２は、内側の肌対向面側に尿とりパッド１１が装着された本体部表面シート１２ａと、最も非肌対向面側に配された本体部裏面シート１２ｂと、これら両シート１２ａ，１２ｂの間に配置された本体部吸収体１２ｃとを有している。また、おむつ本体１２には、幅方向Ｘにおける本体部吸収体１２ｃの外方に、レッグギャザー形成用の本体部レッグ弾性部材（不図示）が、長手方向Ｙに伸長状態で配されている。本体部レッグ弾性部材（不図示）の収縮によって、レッグギャザー１２ｄが形成されている。本体部表面シート１２ａの表面側には、さらに、例えば立体ギャザー（不図示）を形成するための、補助サイドシート（不図示）等を設けておくこともできる。
【００２０】
本体部表面シート１２ａ及び本体部裏面シート１２ｂは、それぞれ、本体部吸収体１２ｃの長手方向Ｙに沿う両側縁部、及び幅方向Ｘに沿う両端縁部から外方に延出している。本体部表面シート１２ａ及び本体部裏面シート１２ｂは、本体部吸収体１２ｃの周縁から外方に延出した延出部において、接着剤や熱融着等によって互いに接合されており、内側に本体部吸収体１２ｃを挟持・固定した状態で設けられている。
【００２１】
以上のように形成されたおむつ本体１２は、全体として長手方向Ｙの中央部分が内方に括れた形状を有している。おむつ本体１２は、いわゆる展開型のおむつであり、背側領域Ｂの左右両側縁部に二対のファスニングテープ１３が設けられ、腹側領域Ａの外側の表面（非肌対向面）に、ファスニングテープ１３を止着させるランディングテープ（不図示）が設けられている。尚、インナーとしての尿とりパッド１１と組み合わせられるアウターは、使い捨ておむつの他、布パンツ、リハビリパンツ等であってもよい。また、センサー付き吸収性物品１０は、センサーシート付き尿とりパッド１１の他にも、センサー付き使い捨ておむつ（テープ止め,リハビリパンツ）等であってもよい。
【００２２】
本実施形態における吸収性物品１０の尿とりパッド１１は、肌対向面側に配された液透過性の表面シート１１ａと、非肌対向面側に配された液難透過性の裏面シート１１ｂと、これら両シート１１ａ，１１ｂ間に配された吸収体１１ｃとを備えている。尿とりパッド１１について詳述すると、表面シート１１ａ、裏面シート１１ｂ及び吸収体１１ｃは、図２〜図４に示すように、尿とりパッド１１又は使い捨ておむつ１２の長手方向（Ｙ方向）に長い長方形状を有している。表面シート１１ａ及び裏面シート１１ｂは、それぞれ、吸収体１１ｃの長手方向（Ｙ方向）に沿う左右両側縁及び長手方向（Ｙ方向）の前後両端縁から外方に延出している。表面シート１１ａは、図２に示すように、その長手方向（Ｙ方向）の寸法が、裏面シート１１ｂの長手方向（Ｙ方向）の寸法と同じであるが、図４に示すように、その幅方向（Ｘ方向）の寸法が、裏面シート１１ｂの幅方向（Ｘ方向）の寸法より小さくなっている。表面シート１１ａ及び裏面シート１１ｂは、それぞれ、吸収体１１ｃの周縁から外方に延出した延出部において直接的に又は他の部材を介在させ、接着剤又は熱融着等によって互いに接合されており、吸収体１１ｃを挟持・固定している。尚、吸収体１１ｃは、図４に示すように、パルプ繊維等の繊維の集合体に吸水性ポリマーの粒子を保持させてなる吸収性コア１１ｄを、１枚のコアラップシート１１ｅで被覆して形成されている。
【００２３】
尿とりパッド１１は、図３に示すように、縦長の吸収体１１ｃ（図４（ａ）、（ｂ）参照）を含んで構成されている。排尿センサー２０は、尿とりパッド１１を構成する裏面シート１１ｂに取り付けられており、より具体的には裏面シート１１ｂの着用者の肌に触れる側である肌対向面側とは反対側の外側（非肌対向面側）に取り付けられている。このように、排尿センサー２０は、吸収性物品１０を構成する複数のシートの内の一枚に取り付けられている。
排尿センサー２０は、導電性インクを印刷基材２２に塗布することで形成された、複数の印刷電極２１（図４（ａ）参照）によるセンサー素子２０ａを含んで設けられている。排尿センサー２０は、複数の印刷電極２１の間のインピーダンス変化に基づいて、尿とりパッド１１に吸収された排尿の広がりを検知することができる。
【００２４】
排尿センサー２０は、図２〜図４に示すように、印刷基材２２と、印刷基材２２の表面に塗布された導電性インクによる、センサー素子２０ａを形成する複数の印刷電極２１と、これらの複数の印刷電極２１を接続する導線部２３と、導線部２３が接続される端子部２４と、を含んで構成されている。印刷基材２２は、例えば、液難透過性で電気絶縁のポリエチレンテレフタレートフィルムにより形成される。印刷電極２１は、尿とりパッド１１の裏面シート１１ｂの表面と密着している。排尿センサー２０は、粘着剤２６が塗布された不織布からなる被覆シート２７により覆われて（図３、図５参照）、被覆シート２７に塗布された粘着剤２６を介して尿とりパッド１１の裏面シート１１ｂの表面に貼付けられている。粘着剤２６は、例えばスパイラル状等の任意の塗布パターンで塗布される。被覆シート２７は、粘着剤２６が塗布された塗布部分と、塗布されていない非塗布部分２６ａとを有している。被覆シート２７が非塗布部分２６ａを有することにより、排尿センサー２０は、印刷基材２２の印刷電極２１及び導線部２３以外の部分が通気機能を保持する通気開口部２５を形成している。裏面シート１１ｂは液難透過性の電気絶縁シートであり、印刷基材２２は液難透過性の電気絶縁基材であり、印刷電極２１及び導線部２３は、裏面シート１１ｂと印刷基材２２とに覆われている。尿とりパッド１１の表面側には、例えば立体ギャザー（不図示）を形成するための、補助サイドシート（不図示）等を設けておくこともできる。また、本実施形態の排尿センサー２０は、通気開口部２５を有しているが、該通気開口部２５を有していなくても良い。
【００２５】
導電性インクは、好ましくは銀粉等の金属粉末を導電物質として配合したインクである。本実施形態の導線部２３は、印刷電極２１と同様に、印刷基材２２の表面に塗布された、導電性インクによる印刷導電層２８（図４（ａ）、（ｂ）参照）から成る。
【００２６】
本実施形態の排尿センサー２０は、印刷基材２２の表面に塗布された導電性インクによる複数の印刷電極２１によって複数のセンサー素子２０ａが形成されている。具体的には、複数の印刷電極２１は、複数の正電極２１ａと、複数の負電極２１ｂとを有しており、複数の正電極２１ａと複数の負電極２１ｂとで複数のセンサー素子２０ａを構成している。排尿センサー２０は、正電極２１ａと負電極２１ｂとからなるセンサー素子２０ａを用いて、各センサー素子２０ａのインピーダンス変化を検出する。吸収性物品の当て方提案装置１は、検出されたインピーダンス変化に基づいて、着用者の排尿による尿とりパッド１１の濡れの有無や、排尿時に尿とりパッド１１によって吸収された尿の濡れ広がりを検出することができる。また、尿の濡れ広がりから、尿の吸収量（排尿量）等を測定したりすることができる。
検出精度の向上の観点から、排尿センサー２０は、複数の印刷電極２１によって複数のセンサー素子２０ａが形成されていることが好ましい。
【００２７】
本実施形態の複数の印刷電極２１は、印刷基材２２の表面に導電性インクを塗布することで、面状に形成されており、図５に示すように、尿とりパッド１１の長手方向Ｙに沿って間隔を空けて８か所配置されている。この８か所の印刷電極２１を、以下、電極列ともいう。電極列は、正電極２１ａと負電極２１ｂとが交互に配置された構成となっており、長手方向Ｙに隣り合う正電極２１ａと負電極２１ｂとが、上述したセンサー素子２０ａを構成している。この電極列は、幅方向Ｘに所定間隔を空けて２列に配置されている。即ち、センサー素子２０ａは、全体として１６か所の印刷電極２１が幅方向Ｘ及び長手方向Ｙに均等に分散配置された構成となっている。幅方向Ｘに隣り合う２つの印刷電極２１は、正電極に対して負電極、負電極に対して正電極の関係で配置されていてもよいが、本実施形態においては、正電極に対して正電極、負電極に対して負電極の関係で配置されている。尚、印刷電極２１が配置されるか所数は、尿とりパッド１１の長手方向Ｙに６か所から１２か所が好ましい。
【００２８】
複数の印刷電極２１は、前述したように、尿とりパッド１１の長手方向Ｙに縦長に２列配置されており、各電極列に８か所、合計１６か所に配置されている（図５参照）。各電極列に配置された８か所の印刷電極２１は、長手方向Ｙに交互に配置された各々４か所の正電極２１ａ及び負電極２１ｂが、導線部２３によって接続されている。具体的には、各電極列の４か所の正電極２１ａは、幅方向Ｘの内側、即ち中心線ＣＬ側で長手方向Ｙに直線状に延設して配置された導線部２３ａに接続されており、導線部２３ａの一端部は、長手方向Ｙの端部分に設けられた端子部２４ａに接続されている。尚、図５に示す中心線ＣＬは、尿とりパッド１１０又は使い捨ておむつ１３０の長手方向（Ｙ方向）に延びる中心線である。
【００２９】
また、各電極列の４か所の負電極２１ｂは、長手方向Ｙに沿う両側部で該長手方向Ｙに直線状に延設して配置された導線部２３ｂ１に接続されており、導線部２３ｂ１の長手方向Ｙの一端部は、幅方向Ｘに直線状に延設して配置された導線部２３ｂ２の一端部に接続されている。導線部２３ｂ２の他端部は、長手方向Ｙの端部分に設けられた端子部２４ｂに接続されている。このように、複数の正電極２１ａ、導線部２３ａ及び端子部２４ａは、排尿センサー２０の平面視において、該排尿センサー２０の内側（中心線ＣＬ寄り）に配置された構成となっている。一方、複数の負電極２１ｂ、導線部２３ｂ１，２３ｂ２及び端子部２４ｂは、排尿センサー２０の平面視において、複数の正電極２１ａを囲むように該複数の正電極２１ａの外側に配置された構成となっている。
本実施形態の排尿センサー２０は、外側に配置された複数の負電極２１ｂをアースしている。このように、外部ノイズの侵入を軽減して、測定精度を向上させる観点から、複数の負電極２１ｂは、端子部２４ｂを介してアースされていることが好ましい。
【００３０】
本実施形態の排尿センサー２０は、各印刷電極２１、即ち正電極２１ａと負電極２１ｂとは、同形の矩形形状に形成されているが、導電性インキの使用量を低減して、コストダウンを図る観点から、印刷電極２１は、非塗布部を有するように例えば格子状に塗布して形成することができる。印刷電極２１の形状（デザイン）、大きさ、配設形状等は、本実施形態のものに限定されることなく、適宜設計することができる。
【００３１】
本実施形態の排尿センサー２０は、各４か所の印刷電極２１による各々の電極群を端子部２４（端子部２４ａ，２４ｂ）に接続するための導線部２３（導線部２３ａ，２３ｂ）が、印刷電極２１と同様に、印刷基材２２の表面に塗布された、導電性インクによる印刷導電層２８（図４（ａ）、（ｂ）参照）によって形成されている。尿とりパッド１１の裏面シート１１ｂに容易に設ける観点から、このように、印刷導電層２８によって導線部２３を形成することが好ましい。
【００３２】
本実施形態の排尿センサー２０は、正電極２１ａに接続する端子部２４ａの数と、負電極２１ｂに接続する端子部２４ｂの数とが同じである。これら端子部２４ａ，２４ｂの設計は、尿取りパッド１１に取り付けられるデータ収集部３０の向きを一定にさせる態様であることが好ましい。このような態様として、例えば、これら端子部２４ａ，２４ｂの数又は形状をそれぞれ異ならせること、端子部２４ａ，２４ｂの配置を非対称（端子部２４ａを中心とした回転対称）とすることが挙げられる。
本実施形態では、端子部２４（端子部２４ａ，２４ｂ）には、公知の端子部として、導電性を有する金属製のスナップ２４が用いられている。金属製のスナップ２４は、図４（ｂ）に示すように、雌型ホック２４１と雄型ホック２４２とで構成されており、厚み方向Ｚにおいて雌型ホック２４１と雄型ホック２４２との間に被覆シート２７、導線部２３、及び印刷基材２２を挟んだ状態で、これら金属のホック２４１，２４２が嵌合されている。端子部２４（端子部２４ａ，２４ｂ）は、金属製のコネクター、ファスナー、面ファスナー（マジックテープ（登録商標）等）、ねじ、フック、噛み込み式の留め具等を用いてもよい。
【００３３】
本実施形態では、排尿センサー２０を構成する印刷電極２１及び導線部２３（印刷導電層２８）は、印刷基材２２の表面に導電性インクを所定の配置形状（図５参照）となるように塗布することによって形成されている。
【００３４】
ここで、印刷基材２２は、塗布された導電性インクを乾燥させる際に収縮しない物性を備えるものであることが好ましく、電気絶縁の樹脂フィルムであることがより好ましい。そのような素材として、例えば、ポリエチレンテレフタレート、ポリイミド等の、融点が２００℃以上のものが挙げられる。また、印刷基材２２の厚さは、３５〜７５μｍであることが好ましい。
【００３５】
また、印刷基材２２に塗布される導電性インクは、例えば分散剤、バインダ、樹脂、硬化剤等を混ぜた混合物であるインクに、導電物質として、例えばカーボン粉末を配合したものや、或いは銀や銅等の金属粉末を配合したものを用いることができる。導電性インクは、金属粉末として銀粉末を配合したものであることが好ましい。
【００３６】
導電性インクを印刷基材２２に塗布して、印刷電極２１や印刷導電層２８による導線部２３を形成する際、導電性インクは、１回だけの印刷（塗布）としてもよいが、排尿を検出するための感度を高める観点から、複数回重ねて印刷（塗布）して形成することもできる。重ねて印刷する際の回数としては、１回〜１０回が好ましい。導電性インクを塗布して印刷する方法としては、例えばインクジェットプリント、ロータリープリント、フレキソ印刷、スクリーン印刷、グラビア印刷等による公知の方法を採用することができる。
【００３７】
本実施形態の印刷基材２２は、当該印刷基材２２における導電性インクが塗布されていない部分、即ち印刷電極２１及び導線部２３以外の領域の略全体が欠けている。具体的には、センサー素子２０ａを形成する正電極２１ａと負電極２１ｂとの間の領域、即ち印刷基材２２の印刷電極２１及び導線部２３以外の部分が欠けていることにより、接着剤の非塗布部分２６ａを介して、通気領域として機能する通気開口部２５を形成する（図５参照）。排尿センサー２０が取り付けられた尿とりパッド１１の裏面シート１１ｂに、通気性を保持させる観点から、印刷基材２２は、図５に示すように、通気開口部２５を有していることが好ましい。尚、印刷電極２１及び導線部２３は、これらを所望の印刷パターンで印刷基材２２に印刷した後に、導電性インキが塗布されていない部分をカットしたり、あるいは、樹脂フィルムによる印刷基材２２の全面に導電性インキを予め印刷した後に、導電性インキが印刷された印刷基材２２を、所望の印刷パターンとなる形状にカットしたりすることによって形成することができる。また、通気領域となる通気開口部２５は、周囲が縁部によって実質的に囲まれていれば良く、周囲の縁部の一部が連続していなくても良い。
【００３８】
本実施形態において、印刷基材２２に導電性インクを塗布して形成された印刷電極２１及び印刷導電層２８は、排尿センサー２０を覆って尿とりパッド１１の裏面シート１１ｂに貼り付けられる、通気性を備える不織布からなる被覆シート２７を用いて、裏面シート１１ｂに取り付けられる。裏面シート１１ｂの非肌対向面側（被覆シート２７が張り付けられる側）には、被覆シート２７を貼り付ける貼り付け予定位置に、被覆シート２７を裏面シート１１ｂに正確に貼り付けるための貼り付け用の印字が印刷されていることが好ましい。
【００３９】
印刷電極２１及び印刷導電層２８は、これらを尿とりパッド１１の裏面シート１１ｂの表面（肌対向面側とは反対側の面）に密着させた状態で、被覆シート２７を用いて、印刷基材２２と共に裏面シート１１ｂに取り付けられている。被覆シート２７には、これの肌対向面側の内側面に、粘着剤２６が塗布されている。被覆シート２７は、これらの粘着剤を、印刷基材２２が除去されて欠けた部分で形成される通気開口部２５や、印刷基材２２の外周部分の外方において、尿とりパッド１１の裏面シート１１ｂに貼り付けられて、裏面シート１１ｂとの間に排尿センサー２０を挟み込んだ状態で、排尿センサー２０を覆って取り付けられる。これによって、印刷基材２２と、導電性インクによる複数の印刷電極２１と、導電性インクによる印刷導電層２８からなる導線部２３と、端子部２４とを含む排尿センサー２０が、尿とりパッド１１の裏面シート１１ｂの表面に印刷電極２１を密着させた状態で、尿とりパッド１１の裏面シート１１ｂに沿って、裏面シート１１ｂに重ねて配設されている。
【００４０】
尿とりパッド１１の裏面シート１１ｂ、表面シート１１ａ及び吸収体１１ｃとしては、従来、使い捨ておむつ、尿とりパッド１１、生理用ナプキン等の吸収性物品に用いられるものを特に制限なく用いることができる。裏面シート１１ｂとしては、例えば、吸収性物品に用いられる液難透過性の絶縁シート（例えば透湿性の樹脂フィルム等）、或いは該絶縁シートに、各種製法による不織布（例えば、エアースルー不織布、スパンボンド不織布、スパンレース不織布、ニードルパンチ不織布等）を積層した積層シート等を用いることができる。表面シート１１ａとしては、例えば、親水性且つ液透過性の不織布や立体開孔フィルム等を用いることができる。吸収体１１ｃを構成する吸収性コアとしては、例えば、パルプ繊維等の繊維の集合体に吸収ポリマーの粒子を保持させたもの等を用いることができ、吸収体１１ｃを構成するコアラップシートとしては、親水性シート、例えば、透水性の薄紙（ティッシュペーパー）や透水性の不織布からなるコアラップシート等を用いることができる。
また本実施形態では、被覆シート２７を構成する不織布として、従来からおむつ等の吸収性物品に用いられている材質のものを用いることができる。
また、本実施形態では、被覆シート２７に塗布される粘着剤２６として、好ましくは肌用、下着用の粘着剤を用いることもできる。粘着剤として、例えばアクリル系、ゴム系等のものがあるが、好ましくはゴム系のものを用いることができる。
【００４１】
さらに、本実施形態では、粘着剤２６は、非塗布部分２６ａが存在する塗布パターンとして、スパイラル状、サミット状、オメガ状、カーテン状、ストライプ状等の、公知の塗布パターンを採用することができるが、排尿センサー２０が取り付けられたシートに、通気性を保持させる観点から、印刷基材２２の欠けている部分において非塗布部分２６ａが存在する塗布パターンであることが好ましく、スパイラル状であることがより好ましい。
【００４２】
本実施形態の排尿センサー２０は、図５に示すように、複数の正電極２１ａ及び複数の負電極２１ｂ（複数のセンサー素子２０ａ）に、時間と共に周期的に変化するような電圧、例えば、所定周波数の矩形波となるような電圧を印加して、インピーダンスの変化を収集するデータ収集部３０を含んで構成されている。
【００４３】
データ収集部３０は、図６に示すように、インピーダンス変化を検出するインピーダンス検出部３１と、インピーダンス検出部３１で検出したインピーダンス変化データを保存するデータロガー３２と、時刻データを出力するタイマー３３と、吸収性物品１０、より具体的には尿とりパッド１１の装着状態を検知する加速度センサー３４とを含んで構成されている。吸収性物品１０（尿とりパッド１１）の装着状態とは、例えば着用状態における吸収性物品１０の傾き及び位置ずれを意味する。
【００４４】
インピーダンス検出部３１は、尿とりパッド１１に取り付けられた排尿センサー２０の複数のセンサー素子２０ａによる回路全体に電圧を印加して、複数のセンサー素子２０ａのインピーダンス変化を検出する。具体的には、インピーダンス検出部３１は、図６に示すように、所定の周波数信号を発振する発振器３１ａと、該発振器３１ａからの周波数信号を用いて複数のセンサー素子２０ａのインピーダンス変化の総量を検知するインピーダンス変化検出回路３１ｂと、インピーダンス変化検出回路３１ｂで検出されたインピーダンス変化の総量を電圧変化データに変換するインピーダンス変化電圧変換部３１ｃとを含んで構成されている。
【００４５】
インピーダンス変化検出回路３１ｂは、例えば、センサー素子２０ａのインピーダンスＺｘと、抵抗値が既知のインピーダンス要素Ｚ１〜Ｚ３とでブリッジ回路を構成している。インピーダンス検出部３１では、発振器３１ａを用いて、インピーダンス変化検出回路３１ｂの入力端に所定の周波数信号（例えば、１．０〜１．８Ｖで３００〜１３００ｋＨｚの矩形波）を印加する。そして、インピーダンス変化電圧変換部３１ｃで、インピーダンス要素Ｚ１，Ｚ２による分圧電圧と、インピーダンス要素Ｚ３及びセンサー素子２０ａのインピーダンスＺｘによる分圧電圧との差電圧を検出し、インピーダンスＺｘの大きさに応じた電圧値の電圧データをデータロガー３２に出力する。
【００４６】
加速度センサー３４は、公知の３軸加速度センサーを用いることが好ましい。３軸加速度センサーは、該センサーが取り付けられた吸収性物品１０の傾き及び位置ずれに関するＸ軸方向、Ｙ軸方向及びＺ軸方向の傾きデータをそれぞれ検出し、タイマー３３から出力される時刻データと共にデータロガー３２に出力する。このような３軸加速度センサーとして、例えば商品名「ADXL362」（ANALOG DEVICES社製）、マイクロパワー、３軸、デジタル出力MEMS加速度センサーを用いることができる。３軸加速度センサーを用いることで、着用者の姿勢の変位に伴って、吸収性物品の傾き及び位置ずれに関するＸＹＺ軸の３方向の出力値（加速度センサーの傾きデータ）が変化することを利用して、吸収性物品の傾き及び位置ずれを、容易に且つ精度良く判定することが可能になる。
【００４７】
データロガー３２に出力される電圧データ及び加速度センサーの傾きデータは、タイマー３３から出力される時刻データと共に、一定の時間ごとに繰り返し出力されて、保存されることが好ましい。データが出力される時間間隔は、０．１〜６０秒が好ましく、０．１〜１０秒がさらに好ましい。
【００４８】
データロガー３２は、インピーダンス検出部３１から取得した電圧データと、加速度センサー３４から取得した傾きデータとを保存する電子装置である。データロガー３２は、後述するデータ取得部４１の要求に応じて、又はデータ取得部４１に接続されたことを検知すると、保存しているデータを該データ取得部４１に無線又は有線で送信する。本実施形態では、データロガー３２は、インピーダンスＺｘの大きさに応じた電圧値の電圧データ、及び吸収性物品１０、より具体的には尿とりパッド１１の装着状態に関するＸ軸方向、Ｙ軸方向、Ｚ軸方向の加速度センサー３４の傾きデータを、それぞれの時刻データと共に、データ取得部４１を形成する情報処理装置４００に無線送信する。
また、データ収集部３０は、印刷電極２１（正電極２１ａ及び負電極２１ｂ）に電圧を印加するため、電源（本実施形態では電池）を有している。データ収集部３０は、図４（ｂ）に示すように、端子部２４ａ，２４ｂを覆うように排尿センサー２０に取り付けられており、本実施形態のデータ収集部３０は、端子部２４ａ、２４ｂを介して正電極２１ａ及び負電極２１ｂに各々接続され、正電極２１ａと負電極２１ｂの間に電圧を印加する。
【００４９】
データロガー３２からデータ取得部４１に送信されるデータは、インピーダンスＺｘの大きさに応じた電圧値の電圧データと、吸収性物品１０の装着状態に関するデータ収集部３０（加速度センサー３４）の傾きデータである。以下、データ収集部３０（加速度センサー３４）の傾きデータを、単に「傾きデータ」ともいう。前記電圧データ及び傾きデータは時刻データと共に、無線又は有線でデータ取得部４１に送信される。前記電圧データを以下、インピーダンスの変化量のデータともいう。
データ取得部４１は、所定時間ごとに、データ収集部３０のデータロガー３２に時刻データと共に保存されている、インピーダンスの変化量のデータと、傾きデータとを取得し、取得データベース４２にこれらデータを一旦保存する。そして、データ取得部４１は、取得したインピーダンスの変化量のデータと、傾きデータと、時刻データとを、排尿データ記憶部５０に供給する。データ取得部４１は、取得したインピーダンスの変化量のデータと、傾きデータとを、少なくとも１時間に１回、好ましくは１時間に複数回、より好ましくは１５分間に１回、さらに好ましくは１〜１０秒に１回、排尿データ記憶部５０に供給する。
【００５０】
本実施形態のデータ取得部４１は、図１に示すように、タブレット型のパーソナルコンピューターである情報処理装置４００である。情報処理装置４００は、表示装置としてＬＣＤを、且つ入力装置としてタッチパネルを備える。このように、データ取得部４１として、公知の汎用コンピュータを用いることができる。汎用コンピュータは、ＣＰＵ（Central Processing Unit）、ＲＯＭ（Read Only Memory）、ＲＡＭ（Random Access Memory）、ＨＤＤ（Hard Disk Drive）、表示部４０１、入力部等を有しており、例えば、PC（Personal Computer）、サーバマシン、又は携帯端末（スマートフォンなど）等が挙げられる。表示部４０１は、例えば、ＬＣＤ（Liquid Crystal Display）、ＣＲＴ（Cathode-Ray Tube）、ＥＬディスプレイ（Electroluminescence display）等によって構成される。入力部は、例えばキーボードやタッチパネル等によって構成される。
【００５１】
本実施形態では、吸収性物品の当て方提案装置１は、図１及び図７に示すように、排尿データ記憶部５０と、傾きデータ記憶部６０と、姿勢判定部７０と、当て方提案部８０とを有している情報処理装置１００によって構成されている。本実施形態では、当て方提案装置１を構成する情報処理装置１００は、データ取得部４１を構成する情報処理装置４００とは異なる装置となっている。当て方提案装置１を構成する情報処理装置１００は、前述の汎用コンピュータの１つであるノート型ＰＣであり、表示装置としてＬＣＤを、且つ入力装置としてキーボードを備えている。
図１に示す情報処理装置１００は、所定のプログラムが組み込まれていることで、図７に示す排尿データ記憶部５０と、傾きデータ記憶部６０と、姿勢判定部７０と、当て方提案部８０とを有する吸収性物品の当て方提案装置１を構成している。このように、当て方提案装置１は、所定のプログラムを情報処理装置１００に組み込むことで構成することができる。情報処理装置１００が入出力インターフェースを備えている場合、前記所定のプログラムは、必要なときに前記入出力インターフェースと情報処理装置１００とが利用可能な媒体を介して、他の装置から読み込まれても良い。ここで媒体とは、例えば入出力インターフェースに着脱可能な記録媒体、または通信媒体、即ち有線、無線、光などのネットワーク、または当該ネットワークを伝搬する搬送波やデジタル信号等を指す。また、前記プログラムにより実現される機能の一部または全部がハードウェア回路等により実現されても良い。
【００５２】
そして、本実施形態の吸収性物品の当て方提案装置１は、尿を吸収する吸収性物品１０に取り付けられた排尿センサー２０によって測定された、吸収性物品１０における尿の濡れ広がりによるインピーダンス変化に基づく着用者の排尿データを、排尿時刻データと共に記憶する排尿データ記憶部５０と、吸収性物品１０の好ましくは腹側に取り付けられたデータ収集部３０の加速度センサー３４によって測定された傾きデータを、時刻データと共に記憶する傾きデータ記憶部６０と、排尿データ記憶部５０及び傾きデータ記憶部６０に記憶されているデータから、排尿時における着用者の姿勢を判定する姿勢判定部７０と、吸収性物品１０の交換時における着用者への吸収性物品１０の当て方をアドバイスする当て方提案部８０とを含んでいる。当て方提案部８０は、例えば介護者によって入力された、吸収性物品１０からの尿漏れを確認した時刻に基づいて、当該尿漏れを生じた吸収性物品１０が着用されている時間帯を特定すると共に、排尿データ記憶部５０及び傾きデータ記憶部６０に記憶されているデータに基づいて、姿勢判定部７０で判定された当該時間帯における排尿時の着用者の姿勢から、当該時間帯において吸収性物品１０から尿漏れを生じた場所を推定して、推定された場所から尿漏れが生じないような吸収性物品の当て方をアドバイスする。データ収集部３０すなわち加速度センサー３４が腹側に取り付けられていると、吸収性物品１０における本体部吸収体１２ｃと加速度センサー３４との位置関係が一定に保たれ易くなるので好ましい。
【００５３】
また、本実施形態では、当て方提案部８０は、好ましくは傾きデータ記憶部６０に記憶された当該時間帯における傾きデータから、当該時間帯における吸収性物品１０のズレの有無を推定して、ズレを生じていると推定された場合の提案も含めて、吸収性物品１０の当て方をアドバイスする。
【００５４】
さらに、本実施形態では、吸収性物品の当て方提案装置１は、好ましくは推定された吸収性物品１０から尿漏れを生じた場所に対応する、吸収性物品１０の当て方に関するアドバイス項目を記憶するアドバイス項目記憶部８５を備えており、当て方提案部８０は、アドバイス項目記憶部８５に記憶されたアドバイス項目を選択して、推定された場所から尿漏れが生じないような吸収性物品１０の当て方をアドバイスする。
【００５５】
本実施形態の吸収性物品の当て方提案装置１を構成する排尿データ記憶部５０は、吸収性物品１０に取り付けられた排尿センサー２０によって測定された、吸収性物品１０における尿の濡れ広がりによるインピーダンス変化に基づく着用者の排尿データを、濡れデータ取得部５１によって排尿時刻データと共に取得して、データベース９０に記憶する。排尿データ記憶部５０は、インピーダンスの変化が特定値以上である時点を、吸収性物品１０が尿により濡れた、濡れ時と特定する。即ち、濡れデータ取得部５１は、インピーダンスの変化量に基づいて、吸収性物品１０の濡れの有無を判定すると共に、濡れがあったと判定した時点を濡れ時刻として特定する。
本実施形態の排尿データ記憶部５０は、濡れの有無を判定する濡れ検出部５４と、濡れ時刻を特定する濡れ時刻演算部５２と、濡れ時刻において尿とりパッド１１に吸収された尿吸収量を算定する尿吸収量演算部５３とを含んでいる（図７参照）。以下、濡れの有無、濡れがあった濡れ時刻及び尿吸収量のデータを纏めて濡れデータともいう。
濡れ検出部５４は、インピーダンスの変化から濡れの有無を検出する。具体的には、濡れ検出部５４は、測定されたインピーダンス変化量が排尿による濡れによるものか、又はノイズであるかを判定する。排尿による濡れ又はノイズの何れであるかは、インピーダンス変化量が特定値以上であるか否かで判定される。ノイズとしては、例えば汗等の排尿以外の事象により生じるインピーダンス変化がある。排尿があったと判定された場合、濡れ検出部５４は、排尿があったと判定されたインピーダンス変化量を、着用者の排尿データとして濡れ時刻演算部５２及び尿吸収量演算部５３に供給する。
濡れ時刻演算部５２は、濡れと判定されたインピーダンス変化量が測定された時点を濡れ時刻として、該濡れ時刻を排尿時刻データとしてデータベース９０内の濡れ時刻蓄積テーブル９２に記憶する。
尿吸収量演算部５３は、排尿センサー２０によって測定されたインピーダンス変化量から、各濡れ時刻の尿吸収量を算定する。尿吸収量は、インピーダンスの変化量を演算することにより求められる、排尿１回当たりに吸収性物品に吸収された尿の量である。尿吸収量演算部５３は、濡れ時刻におけるインピーダンス変化量を用いて尿吸収量を演算し、その演算結果である尿吸収量をデータベース９０内の尿吸収量蓄積テーブル９３に着用者の排尿データとして記憶する。
尿吸収量演算部５３は、排尿量を推定する際の計算精度を高めるために、加速度センサーにより着用者の姿勢を検出し、尿取りパッド１１内の尿の分布を推定する。尿吸収量演算部５３における排尿量計算は、推定された分布に適した計算式を選んだり、推定された分布に応じた係数をかけたりすること等を、考慮して行われることが好ましい。
【００５６】
排尿データ記憶部５０は、各濡れ時刻の尿吸収量を着用者の排尿データとして算定する尿吸収量演算部５３を具備しなくても良いが、尿漏れを効果的に防ぐために、吸収性物品の濡れパターンを把握する観点から、排尿データ記憶部５０は、尿吸収量演算部５３を具備していることが好ましい。
【００５７】
データベース９０は、図７に示すように、排尿データ記憶部５０によって記憶される、着用者毎の濡れ時刻演算部５２の演算結果である濡れ時刻（排尿時刻データ）を格納する濡れ時刻蓄積テーブル９２、及び着用者毎に尿吸収量演算部５３の演算結果である尿吸収量（排尿データ）を格納する尿吸収量蓄積テーブル９３を有している。尿吸収量蓄積テーブル９３は、尿とりパッド１１、即ち吸収性物品１０を取り替えた際に、尿吸収量がゼロにリセットされるよう構成されている。具体的には、尿吸収量蓄積テーブル９３は、電極群を有する排尿センサー２０の端子部２４ａ，２４ｂからデータ収集部３０を外すと、インピーダンス変化検出回路３１ｂによる電極間への電圧印加が切断されたことを検知して、尿吸収量の蓄積データ、すなわち尿吸収量及び尿吸収総量がゼロにリセットされるよう構成されている。尚、濡れ時刻蓄積テーブル９２と尿吸収量蓄積テーブル９３の情報のうち、濡れ時刻及び尿吸収量は、ゼロにリセットされる前に、データベース９０にある濡れ情報テーブル９５へ保存される。即ち、濡れ情報テーブル９５には、濡れ時刻毎の尿吸収量の情報が保存される。
【００５８】
本実施形態の吸収性物品の当て方提案装置１を構成する傾きデータ記憶部６０は、吸収性物品１０に取り付けられたデータ収集部３０の加速度センサー３４によって測定された傾きデータを、傾きデータ取得部６１によって時刻データと共に取得して、データベース９０に記憶する。傾きデータ記憶部６０は、データ取得部４１を形成する情報処理装置４００から送られる、排尿センサー２０に取り付けられたデータ収集部３０の加速度センサー３４によって計測された、吸収性物品１０や尿とりパッド１１の装着状態に関するＸ軸方向、Ｙ軸方向、Ｚ軸方向の傾きデータを、タイマー３３によるそれぞれの時刻データと共に、傾きデータ取得部６１により取得して、データベース９０内の傾きデータ蓄積テーブル９４にデータ収集部３０の傾きデータとして記憶する。
【００５９】
これらによって、後述する姿勢判定部７０や当て方提案部８０において、排尿データ記憶部５０によって記憶された排尿時刻データと、傾きデータ記憶部６０によって記憶された時刻データとを照らし合わせることで、Ｘ軸方向、Ｙ軸方向、Ｚ軸方向の傾きデータから、所定の排尿時刻や時間帯における、着用者の姿勢や、吸収性物品１０や尿とりパッド１１の装着状態や位置ずれを、判定できる。
【００６０】
本実施形態の吸収性物品の当て方提案装置１を構成する姿勢判定部７０は、排尿データ記憶部５０及び傾きデータ記憶部６０によって記憶されているデータから、排尿時における着用者の姿勢を判定する。姿勢判定部７０は、吸収性物品１０に取り付けられたデータ収集部３０の加速度センサー３４による傾きデータに基づき、吸収性物品１０の傾き及び位置ずれに関する装着状態を判定する装着状態判定部７１と、所定の排尿時刻や時間帯における装着状態の情報を出力する情報出力部７２とを含んでいる。
【００６１】
装着状態判定部７１は、データ収集部３０の加速度センサー３４により測定された加速度センサーの傾きデータから、吸収性物品１０の装着状態を判定する。吸収性物品１０の装着状態とは、加速度センサー３４が取り付けられている吸収性物品１０（尿とりパッド１１）の傾き及び位置ずれを意味する。
装着状態判定部７１は、加速度センサー３４のＸＹＺ軸の各軸方向の出力値に基づいて加速度センサー３４の傾きを特定することで、該加速度センサー３４が取り付けられた吸収性物品１０の傾きを特定する。加速度センサー３４は、例えば図８（ａ）〜（ｃ）に示すように、吸収性物品１０を装着した着用者の腹部側に腰幅方向にＸ軸が、身長方向にＹ軸が、前後方向にＺ軸が、それぞれ沿うように配置されている。ＸＹＺ軸の各軸方向の傾きは、吸収性物品１０の傾きを示すものであるが、吸収性物品１０の傾きに影響を与える一つの要因として、吸収性物品１０を着用した着用者の姿勢の影響が挙げられる。例えば、吸収性物品１０を身体の向きに対してまっすぐの向きに着用した場合のＸＹＺ軸の各軸方向の傾きは、座った姿勢〔図８（ａ）参照〕、仰向けの姿勢〔図８（ｂ）参照〕、及び仰向けで横（左）を向いた姿勢〔図８（ｃ）参照〕で各々異なる。吸収性物品１０を身体の向きに対してまっすぐの向きに着用した状態とは、吸収性物品１０を、着用者の前後方向と、吸収性物品１０の長手方向とを一致させて着用した状態をいう。一方、吸収性物品１０を着用した時の姿勢が同じ姿勢であっても、例えば、吸収性物品１０の当て方等により、吸収性物品１０の向きが身体の向きに対して左右に斜めに向いた状態で着用している場合がある。この場合、ＸＹＺ軸の各軸方向の傾きは、吸収性物品１０を着用させた向き（吸収性物品１０の当て方）に応じてそれぞれ異なる。装着状態判定部７１は、加速度センサー３４のＸＹＺ軸の各軸方向の出力値に基づいて、加速度センサー３４の傾きを特定する。即ち、加速度センサー３４の傾きデータは、ＸＹＺ軸の各軸方向の傾きの出力値である。
装着状態判定部７１がデータ収集部３０の加速度センサー３４を用いて吸収性物品１０の傾きを特定する方法は、図８（ａ）〜（ｃ）に示すような方法に制限されず、任意の方法を用いることができる。
【００６２】
姿勢判定部７０の装着状態判定部７１は、吸収性物品１０の着用時の姿勢の影響も考慮して、吸収性物品１０の傾きを判定している。具体的には、加速度センサー３４の傾き、即ち加速度センサー３４によるＸＹＺ軸の３軸の出力値と、吸収性物品１０を身体の向きに対してまっすぐに着用した場合の着用者の姿勢との関係を検証した上で作成した表１に示す装着状態判定テーブルと、図９に示す装着状態判定フローとに従って、吸収性物品１０の傾きを判定する。表１及び図９において、吸収性物品１０の傾きの「上横」とは、裏面シート１１ｂの腹側領域Ａが、鉛直方向の「上」側に位置するように、且つ尿とりパッド１１の長手方向が鉛直方向と直交する方向に対し略水平（横）となるように、尿とりパッド１１が置かれた状態を指す。また、「上斜」とは、裏面シート１１ｂの腹側領域Ａが、鉛直方向の「上」側に位置するように、且つ尿とりパッド１１の長手方向が鉛直方向に対し、身長方向に沿うＹ軸の頭側を上げて傾くようにして、尿とりパッド１１が置かれた状態を指す。また、「下斜」とは、裏面シート１１ｂの腹側領域Ａが、鉛直方向の「上」側に位置するように、且つ尿とりパッド１１の長手方向が鉛直方向に対し、身長方向に沿うＹ軸の頭側を下げて傾くようにして、尿とりパッド１１が置かれた状態を指す。また、「下横」とは、裏面シート１１ｂの腹側領域Ａが、鉛直方向の「下」側に位置するように、且つ尿とりパッド１１の長手方向が鉛直方向と直交する方向に対し略水平（横）となるように、尿とりパッド１１が置かれた状態を指す。これら吸収性物品１０（尿とりパッド１１）の傾きは、Ｘ軸の出力値により、さらに左向きと右向きとに区別される。本実施形態において、吸収性物品１０を身体の向きに対してまっすぐに着用した場合、吸収性物品１０の傾きが「上横」は仰向け、「上斜」は座る、「下斜」は膝を曲げる、「下横」はうつ伏せ、というように吸収性物品１０の傾きと各姿勢とは対応する傾向がある。
例えば、吸収性物品１０が身体の向きに対してまっすぐに着用されており、加速度センサー３４の傾き（出力値）が、Ｘ軸が１７０、Ｙ軸が１７０、Ｚ軸が１２５である場合、吸収性物品１０（尿とりパッド１１）の傾きは、「上横」であり、吸収性物品１０がこのような傾きであるとき、着用者は吸収性物品をおおむね仰向けの姿勢で着用している。即ち、本実施形態の装着状態判定部７１は、Ｘ軸が１７０、Ｙ軸が１７０、Ｚ軸が１２５である出力値に基づき、前記「上横」を「着用者が仰向で着用しているときの吸収性物品の傾き「上横」と判定する。
【００６３】
【表１】
2018202154.tif 000003
【００６４】
姿勢判定部７０の装着状態判定部７１が行う吸収性物品１０の傾きの判定について、図９に示す装着状態判定フローを用いて吸収性物品１０が身体の向き対してまっすぐに着用された場合の事例を説明する。例えば、Ｚ軸の出力値を表１の装着状態判定テーブルと対比し、２１８以上である場合には、吸収性物品１０の傾きと「下横」と判定する。この場合、着用者の姿勢はうつ伏せの傾向にある。吸収性物品１０の傾きＺ軸の出力値が２１７以下である場合に、Ｙ軸の出力値を表１の装着状態判定テーブルと対比し、１６０以下である場合には、吸収性物品１０の傾きを「上斜」と判定して、さらにＸ軸の出力値を表１の装着状態判定テーブルと対比する。この結果、Ｘ軸の出力値が１５０以下である場合には、「上斜右」と判定し、Ｘ軸の出力値が１８０以上である場合には、「上斜左」と判定する。Ｘ軸の出力値が１５０以下でも、１８０以上でもない場合には、「上斜」と判定する。本実施形態において、吸収性物品１０の傾きが「上斜右」である場合、着用者の姿勢は、座る横向きで且つ右向きの傾向にある。また、吸収性物品１０の傾きが「上斜左」である場合、着用者の姿勢は、座る横向きで且つ左向きの傾向にある。
【００６５】
また、Ｚ軸の出力値が２１７以下である場合に、Ｙ軸の出力値を表１の装着状態判定テーブルと対比し、１８１以上である場合には、吸収性物品１０の傾きを「下斜」と判定して、さらにＸ軸の出力値を表１の装着状態判定テーブルと対比する。この結果、Ｘ軸の出力値が１５０以下である場合には、吸収性物品１０の傾きを「下斜右向き」と判定し、Ｘ軸の出力値が１８０以上である場合には、吸収性物品１０の傾きを「下斜左向き」と判定する。Ｘ軸の出力値が１５０以下でも、１８０以上でもない場合には、膝曲げ正面の姿勢時の傾き「下斜」と判定する。本実施形態において、吸収性物品１０の傾きが「下斜右」である場合、着用者の姿勢は、膝曲げ横向きで且つ右向きの傾向にある。また、吸収性物品１０の傾きが「下斜左」である場合、着用者の姿勢は、膝曲げ横向きで且つ左向きの傾向にある。
【００６６】
さらに、Ｚ軸の出力値が２１７以下である場合に、Ｙ軸の出力値を表１の装着状態判定テーブルと対比し、１６０以下でも、１８１以上でもない場合には、吸収性物品１０の傾きを「上横」と判定し、さらにＸ軸の出力値を表１の装着状態判定テーブルと対比する。この結果、Ｘ軸の出力値が１５０以下である場合には、仰向け横向きで且つ右向きの姿勢時の傾き吸収性物品１０の傾きを「上横右向き」と判定する。Ｘ軸の出力値が１８０以上である場合には、仰向け横向きで且つ左向きの姿勢時の傾き吸収性物品１０の傾きを「上横左向き」と判定する。Ｘ軸の出力値が１５０以下でも、１８０以上でもない場合には、仰向け正面の姿勢時の傾き「上横」と判定する。本実施形態において、吸収性物品１０の傾きが「上横右向き」である場合、着用者の姿勢は、仰向け横向きで且つ右向きの傾向にある。また、吸収性物品１０の傾きが「上横左向き」である場合、着用者の姿勢は、仰向け横向きで且つ左向きの傾向にある。
このように、姿勢判定部７０の装着状態判定部７１は、吸収性物品１０の傾きが「下横」、「上横」、「上横横向き」、「上斜」、「上斜横向き」、「下斜」及び「下斜横向き」の何れであるかを判定することができる。「上横横向き」や「上斜横向き」等の各姿勢における「横」は、右向き又は左向きを意味する。また、本実施形態では、装着状態判定部７１は、吸収性物品１０の傾きに影響を与える一つの要因として着用者の姿勢を考慮して判定しているが、おむつパッドの当て方等により、必ずしも常時、吸収性物品１０を身体の向き対してまっすぐに着用しているとは限らないため、着用時の身体の向きに対する吸収性物品１０の向きの影響等も併せて考慮し、実際の吸収性物品１０の傾きを正確に判定することができる。
【００６７】
姿勢判定部７０の装着状態判定部７１は、吸収性物品１０の傾きの他、該吸収性物品１０の位置ずれを判定することもできる。吸収性物品１０の位置ずれとは、例えば吸収性物品１０（尿とりパッド１１）の股下領域Ｃが着用者の排泄部（股下部分）に当接するように装着された位置から、吸収性物品１０が前後方向（長手方向Ｙ）又は左右方向（幅方向Ｘ）にずれた状態や吸収性物品１０の厚み方向にずれた状態を意味する。吸収性物品１０の位置ずれは、着用状態における吸収性物品１０が動くことにより生じるところ、下記式（１）により求められる吸収性物品１０の動きＫが２以上である場合を吸収性物品１０の位置ずれが生じたと判断する。即ち、装着状態判定部７１は、加速度センサー３４の測定時における吸収性物品１０の動きＫに基づいて、該測定時における吸収性物品１０の位置ずれの有無を判断する。
下記式（１）におけるｎは、所定の時間間隔で測定されたＸＹＺ軸の３方向の各出力値（傾きデータ）のデータ数である。具体的には、前記３方向の各出力値の６０データに基づいて、下記式（１）から吸収性物品１０の動きＫを求める。本実施形態では、ＸＹＺ軸の３方向の各出力値を１０分間に６０回測定している。即ち、本実施形態では１０秒間隔で前記３方向の各出力値を１回測定している。この測定の時間間隔は、任意の設定にすることができ、測定回数ｎも任意に設定することが出来る。
【００６８】
【数１】
2018202154.tif 000004
【００６９】
吸収性物品１０の傾き及び位置ずれの有無に関するデータは、データベース９０の濡れ情報テーブル９５に記憶される。より具体的には、これらのデータは、装着状態判定部７１から濡れ情報テーブル９５に供給され、濡れ情報テーブル９５に保存された上述の濡れ時刻（排尿時刻データ）及び尿吸収量（排尿データ）と関連付けられて、当該該濡れ情報テーブル９５に保存される。以下、濡れ時刻と、その時刻における吸収性物品１０の傾き及び位置ずれの有無に関する情報を、濡れ時の装着状態の情報ともいう。
【００７０】
姿勢判定部７０の情報出力部７２は、排尿時における吸収性物品１０の装着状態の情報を出力する。本実施形態の吸収性物品の当て方提案装置１は、情報出力部７２によって、情報処理装置１００の表示部１０１に、濡れ情報テーブル９５に記憶された、排尿時の排尿時における吸収性物品１０の装着状態の情報を出力する。この表示部１０１には、図１０に示すように、濡れ時刻に該当する時間帯と、吸収性物品１０の傾き及び位置ずれに関する情報とが示されている。具体的には、本実施形態に係る吸収性物品１０を２４時間着用した場合のタイムスケジュールが示されており、濡れ時刻に該当する時間帯、即ち濡れがあった時間帯の欄が着色されていると共に、吸収性物品１０の傾き及び位置ずれの情報も示されている（図１０参照）。図１０には、吸収性物品の傾きを「おむつの傾き」として示している。例えば、尿吸収量について、午前１１時４５分〜午後１２時００分の欄に比して、午後１２時００分〜午後１２時１５分の欄は着色が濃くなっている。これは、午前１１時４５分〜午後１２時１５分の間に濡れ、即ち排尿があったことを示している。また、午前１１時４５分〜午後１２時１５分の時間帯における吸収性物品１０の傾きは「上斜」の傾きであったことが示されている。また、吸収性物品１０の傾きが午前３時４５分の時点から、「下斜」から「上横」の傾きに変わり、且つ吸収性物品１０に位置ずれが生じていたことが示されている。即ち、午前３時４５分の着用者の寝返りによって、吸収性物品１０の傾きの変化と共に、位置ずれが生じていたことが分かる。また、午前３時４５分以降に尿漏れを発見した場合、午前３時４５分の吸収性物品１０の傾きの変化又は位置ずれが尿漏れの原因であることが予想される。
これにより、被介護者が着用する吸収性物品１０に尿漏れを発見した場合に、介護者は、後述する当て方提案部８０において、尿漏れを発見した時点以前の濡れ時の装着状態から、尿漏れの発生原因となり得る装着状態を把握することができる。また、介護者等は、このような尿漏れが発見された際の吸収性物品１０の装着状態を踏まえた、当て方提案部８０による提案に従って、吸収性物品１０の当て方（装着状態）を調整する等の尿漏れの防止対策を打つことができる。
【００７１】
本実施形態では、排尿データ記憶部５０は、尿吸収量演算部５３を含んでおり、尿吸収量演算部５３は、インピーダンスから、各々の排尿時に測定された尿吸収量を算定する。姿勢判定部７０の情報出力部７２は、図１０に示すように、排尿によって濡れた濡れ時の装着状態の情報と共に、尿吸収量演算部５３により算定された尿吸収量の情報を出力する。本実施形態の尿吸収量の情報は、図１０に示すように、濡れ時刻に該当する時間帯の欄の着色の濃淡を、尿吸収量によって変化させている。排尿によって濡れた濡れ時の装着状態の情報と共に、尿吸収量の情報を出力することにより、介護者等は、尿吸収量に応じた吸収容量の吸収性物品を利用することができ、尿漏れを効果的に防止し得る。尿吸収量に応じた吸収容量の吸収性物品とは、該尿吸収量よりも大きい吸収容量を有する吸収性物品を意味する。例えば、図１０に示すタイムスケジュールにおいて午前９時及び午前１１時に尿漏れが発見されず、午後１時に尿漏れを発見した場合、図１０では午前９時〜午後１時までの時間帯は吸収性物品１０の傾きの変化及び位置ずれは生じていないことが示されている。従って、午後１時に発見された尿漏れは、吸収性物品の傾きの変化又は位置ずれに起因するものではないことが示唆される。これより、尿漏れの防止策として、午前９時〜午後１時の時間帯の尿吸収量よりも大きい吸収容量の吸収性物品を利用することが示唆される。このように、情報出力部６４は、濡れ時の装着状態の情報と共に、尿吸収量の情報を出力することが好ましい。
図１０に示す濡れパターンのデータ情報は、１５分毎の尿吸収量を、その量に対応する色の濃淡で表している。即ち、色が濃いほど、尿吸収量が多く、色が薄いほど、尿吸収量が少ない。図１０では、排尿回数が多いほど、吸収性物品１０へ排出される排尿量が多くなるため、排尿回数に伴って尿吸収量を示す色が濃くなっている。また、吸収性物品の交換があると、尿吸収量は０となり、吸収性物品の交換時刻に該当する尿吸収量の欄は無色（白）になる。そして、尿吸収量の欄は、尿吸収量に伴って、薄い色から始まり、濃い色となっていく。尿吸収量は、その量に対応する文字、記号等で段階的に表してもよい。また、濡れがあった場合の濡れの表示は、濡れがあった時刻のみとしてもよい。
【００７２】
本実施形態の吸収性物品の当て方提案装置１を構成する当て方提案部８０は、吸収性物品１０の交換時における着用者への吸収性物品１０の当て方をアドバイスする。すなわち、当て方提案部８０は、例えば介護者によって入力された、吸収性物品１０からの尿漏れが確認された時刻に基づいて、当該尿漏れを生じた吸収性物品１０が着用されている時間帯を特定すると共に、排尿データ記憶部５０及び傾きデータ記憶部６０によってデータベース９０に記憶されているデータに基づいて、姿勢判定部７０で判定された当該時間帯における排尿時の着用者の姿勢から、当該時間帯において吸収性物品１０から尿漏れを生じた場所を推定して、推定された場所から尿漏れが生じないような吸収性物品１０の当て方をアドバイスする。
【００７３】
より具体的には、当て方提案部８０は、例えば介護者等が、目視により尿漏れを発見し、その尿漏れを発見した時刻の情報を入力することで、発見時刻記憶部８１を介して、尿漏れ発見時刻をデータベース９０の濡れ情報テーブル９５に記憶することができる。また、当て方提案部８０の情報出力部８２は、濡れ情報テーブル９５に格納されている、排尿によって濡れた濡れ時の吸収性物品１０の装着状態の情報と、尿漏れ発見時刻の情報とを情報処理装置１００の表示部１０１等に出力することができる。当て方提案部８０は、吸収性物品１０からの尿漏れの発生を、尿漏れの発見時刻を濡れ情報テーブル９５に記録することによって認識しても良い。また、おむつ本体１２に別の排尿センサーを取り付けておき、この排尿センサーが、尿とりパッド１１から漏れ出た尿によるインピーダンス変化を検出することによって、尿漏れの発生を認識しても良い。あるいは、尿漏れを発見した時刻に使用していた吸収性物品１０の使用時間帯と、濡れ情報に基づく排尿時刻とを照合し、この排尿時刻を尿漏れ発生時刻として認識しても良い。
【００７４】
当て方提案部８０は、図１２に示すように、例えば午後１０時１５分に吸収性物品１０からの尿漏れを発見したら、尿吸収量（排尿データ）から、尿漏れが生じた時間帯を推測することで特定する。尿漏れが生じた時間帯を特定したら、加速度センサー３４の傾きデータによるおむつの傾きから、姿勢判定部７０によって判定された当該時間帯における排尿時の着用者の姿勢を推測して特定する。尿漏れが生じた時間帯における着用者の姿勢を特定したら、特定された排尿時の着用者の姿勢から、当該時間帯において吸収性物品１０から尿漏れを生じた場所を推定すると共に、特定された排尿時の着用者の姿勢に応じたおむつ（吸収性物品）の当て方を、推定された場所から尿漏れが生じないような吸収性物品の当て方としてアドバイスする。
【００７５】
また、本実施形態では、当て方提案部８０は、上述のように、好ましくは傾きデータ記憶部６０によって記憶された当該時間帯における傾きデータから、当該時間帯における吸収性物品１０のズレの有無を推定して、ズレを生じていると推定された場合の提案も含めて、吸収性物品１０の当て方をアドバイスできるようになっている。
【００７６】
当て方提案部８０の情報出力部８２は、図１１（ａ）及び（ｂ）に示すように、吸収性物品１０から尿漏れが生じた際における吸収性物品１０の装着状態の情報を出力することができる。図１１（ａ）及び（ｂ）では、尿漏れが発生した吸収性物品１０の濡れ時の装着状態と共に、該吸収性物品１０の使用時刻（図中、１：００〜６：００）が示されている。斯かる構成により、尿漏れ発生時刻を、尿漏れが発見された吸収性物品１０の使用開始時刻から該吸収性物品１０の使用終了時刻（交換時刻）までの時間帯に絞り込むことができ、尿漏れの原因となった装着状態をより正確に把握することができる。このように、情報出力部８２は、尿漏れが発生した吸収性物品１０の濡れ時の装着状態の情報と共に、該吸収性物品１０の使用開始時刻及び交換時刻の情報を出力することが好ましい。吸収性物品１０の使用開始時刻及び交換時刻の情報は、例えば、データベース９０の濡れ情報テーブル９５、又は生活情報テーブル９７に記憶することができる。濡れ情報テーブル９５又は生活情報テーブル９７に記憶された吸収性物品１０の使用開始時刻及び交換時刻の情報は、例えば、情報出力部８２によって出力することができる。
【００７７】
また、本実施形態では、吸収性物品の当て方提案装置１は、好ましくは推定された吸収性物品１０から尿漏れを生じた場所に対応する、吸収性物品１０の当て方に関するアドバイス項目を記憶するアドバイス項目記憶部８５を、好ましくは当て方提案部８０に備えている。当て方提案部８０は、アドバイス項目記憶部８５に記憶されたアドバイス項目を選択して、推定された場所から尿漏れが生じないような吸収性物品１０の当て方をアドバイスする。アドバイス項目記憶部８５は、尿漏れ時の吸収性物品１０の装着状態に対し、その尿漏れを防止し得る当て方のアドバイス情報を、データベース９０の当て方情報テーブル９６に記憶させる。当て方提案部８０は、当て方情報テーブル９６に記憶されて格納されているアドバイス情報の中から適切なアドバイスを選択し、それを情報出力部８２に出力させる。当て方情報テーブル９６には、吸収性物品１０の傾き又は位置ずれに起因する尿漏れに対し、該尿漏れを防止し得る吸収性物品の当て方（装着状態）に関するアドバイス情報が格納されている。
例えば、尿漏れ時の吸収性物品１０（尿とりパッド１１）の傾きが、膝立ち仰向け時の傾き「下斜」であり、さらに位置ずれも生じていた場合、当て方提案部８０は、当て方情報テーブル９６から、下斜時の傾きであり、且つ位置ずれが生じた装着状態に起因する尿漏れを防止し得るアドバイス情報を選択する。当て方提案部８０により選択されたアドバイス情報は、情報出力部８２によって、図１１（ａ）に示すように出力される。
また、例えば、尿漏れ時の吸収性物品１０（尿とりパッド１１）の傾きが、仰向け左向き時の傾き「上横左向き」である場合、当て方提案部８０は、当て方情報テーブル７６から、上横左時の装着状態に起因する尿漏れを防止し得るアドバイス情報を選択する。当て方提案部８０により選択されたアドバイス情報は、情報出力部８２によって、図１１（ｂ）に示すように出力される。
このように、当て方提案部８０は、濡れ時の吸収性物品１０の装着状態に基づき、吸収性物品１０の装着状態についてのアドバイス情報を記憶するアドバイス項目記憶部８５を含むことが好ましい。アドバイス項目記憶部８５により記憶されたアドバイス情報は、情報出力部８２によって濡れ時の吸収性物品１０の装着状態の情報と共に、出力されてもよい。
【００７８】
すなわち、当て方提案部８０は、図１３に示すように、入力された尿漏れを確認した時刻に基づいて、尿漏れを生じた吸収性物品１０が着用されている時間帯が特定されて、当該時間帯における排尿時の着用者の姿勢から吸収性物品１０の装着状態が判定されると、例えば図１３に示すようなアドバイス項目記憶部８５に記憶された選択可能なアドバイス項目を、情報出力部８２によって情報処理装置１００の表示部１０１等に出力する。
【００７９】
また、当て方提案部８０は、当該時間帯における吸収性物品１０のズレの有無を判定して、ズレがあると判定した場合に、図１３に示すように、ズレを生じている場合の提案も含めて、吸収性物品１０の当て方のアドバイス情報を、情報出力部８２によって情報処理装置１００の表示部１０１等に出力する。
【００８０】
本実施形態では、被介護者のケア管理を容易に行う観点から、本実施形態の吸収性物品の当て方提案装置１は、濡れ時の吸収性物品１０の装着状態の情報に加えて、着用者に関する着用者情報と、着用者の生活に関する生活情報を表示してもよい。このとき、前述の濡れ情報テーブル９５等を有するデータベース９０は、図７に示すように、着用者情報が蓄積されている着用者情報テーブル９８に加え、更に、生活情報が蓄積されている生活情報テーブル９７を有することが好ましい。そして、着用者情報テーブル９８が、着用者情報記憶部８６から提供された着用者情報を格納するのに加えて、生活情報テーブル９７が、生活情報記憶部８７により入力された生活情報を更に格納することが好ましい。
【００８１】
着用者情報は、主に、看護者や介護者等によりキーボード等の入力部を介して入力され、着用者情報記憶部８６に提供される。
着用者情報として、例えば着用者の性別、年齢、身長、体重、着用者を識別・特定するためのＩＤ番号（文字との組み合わせも可）、要介護度、着用者のベッド番号、部屋番号（病室番号）、部屋名（病室名）等が挙げられる。生活情報は、例えば、体温、血圧、脈拍等の体調についての情報、喜怒哀楽等の気分についての情報、トイレや尿とりパッド、おむつや布パンツ等への排便の有無、便の性状、量や排便時刻等の排便に関する情報、トイレでの排尿の有無、尿の性状、量や排尿時刻等の排尿に関する情報、おむつや尿とりパッド等への排尿の有無、天秤等で測定した尿とりパッドの重量、尿等を含んだ尿とりパッドの重量或いは尿の量、尿の性状等の情報、残尿についてその性状や量等についての情報、導尿の実施時刻、尿の量や性状等についての情報、布パンツ、おむつ、尿とりパッド等の交換の有無や交換時刻についての情報、アウター（尿とりパッドの外に履くもの）はおむつか布パンツか、おむつはテープ止めタイプかパンツタイプか、おむつや布パンツの大きさ等のアウターの種類についての情報、尿とりパッドの種類、尿とりパッドの大きさ等についての情報、尿とりパッド、おむつ、布パンツ等からの尿や便等の漏れの有無、漏れの多少等の尿や便等の漏れについての情報、入浴や足浴などの実施の有無、実施時刻・実施時期、入浴や足浴等にかけた時間などについての入浴情報、食事の時刻・時間、食事の量、食事の種類、水分量等の食事情報、飲料水等の飲み物の摂取時刻、量、種類等の飲み物の情報、飲水量や飲水時刻等の飲水についての情報、点滴の実施時刻、種類、点滴の量等の点滴情報、就床時刻、就寝時刻、入眠時刻、起床時刻、就床時間、睡眠時間などの睡眠情報、体の動き等の情報、リハビリ、レクリェーション等の運動や認知機能の維持・向上の活動について、その実施時刻・時間、種類などの活動状況、面会の時刻・時間、面会者等についての面会状況情報、環境の温度や湿度等についての情報、これらの生活情報の記録日時等についての情報、記録終了の日時等から適宜選択することができ、また、これらに限られない。生活情報テーブル７７を有するときは、生活情報も着用者情報同様に、主に、看護者や介護者等によりキーボード等の入力部を介して入力され、生活情報記憶部８７に提供される。
【００８２】
介護者の間で被介護者の濡れパターンのデータを共有し、被介護者のケアをより適切に行う観点から、本実施形態の吸収性物品の当て方提案装置１は、データベース９０内に格納された濡れ時刻、吸収性物品１０の傾き及び位置ずれの情報に加えて、吸収性物品の情報、着用者情報及び生活情報の少なくとも１つを、吸収性物品の当て方提案装置１を構成する情報処理装置１００の表示部１０１等に出力し得るよう構成されていることが好ましい。
【００８３】
本実施形態の情報出力部８２は、情報処理装置１００の表示部１０１に、濡れ時の吸収性物品１０の装着状態の情報等を表示するが、吸収性物品１０の傾き毎に色の異なる発光素子を発光させることにより、濡れ時の吸収性物品１０の装着状態の情報等を出力しても良い。発光素子としてＬＥＤ等が挙げられる。また、情報出力部８２をスピーカ等の音発生デバイスとして、音声ガイド等を出力することにより前記情報の出力を行っても良い。このように、情報出力部８２が濡れ時の装着状態の情報等を出力する態様として、画像、文字若しくは発光等による視覚的態様の他、音声等の聴覚的態様、又はそれらの組み合わせにより前記情報を出力することができる。さらに、視覚的又は聴覚的態様に限られず、例えば振動による触覚的態様等、本発明の吸収性物品の当て方提案装置１の利用者が認識可能な任意の態様で、前記情報を出力することができる。
【００８４】
次に、本発明の好ましい一実施形態に係る吸収性物品の当て方提案方法を、前述の吸収性物品の当て方提案装置１を用いて行う実施形態を例に、図１４のフローチャートを参照しながら説明する。本実施形態の吸収性物品の当て方提案方法は、尿を吸収する吸収性物品１０に取り付けられた排尿センサー２０によって測定された、吸収性物品１０における尿の濡れ広がりによるインピーダンス変化に基づく着用者の排尿データを、排尿時刻データと共に記憶する排尿データ記憶ステップＳ１と、吸収性物品１０に取り付けられた加速度センサー３４によって測定された傾きデータを、時刻データと共に記憶する傾きデータ記憶ステップＳ２と、排尿データ記憶ステップ及び傾きデータ記憶ステップで記憶されたデータから、排尿時における着用者の姿勢を判定する姿勢判定ステップＳ３と、吸収性物品の交換時における着用者への吸収性物品の当て方をアドバイスする当て方提案ステップＳ４とを含んでいる。当て方提案ステップＳ４は、例えば介護者によって入力された、吸収性物品からの尿漏れを確認した時刻に基づいて、当該尿漏れを生じた吸収性物品１０が着用されている時間帯を特定すると共に、排尿データ記憶ステップ及び傾きデータ記憶ステップで記憶されたデータに基づいて、姿勢判定ステップで判定された当該時間帯における排尿時の着用者の姿勢から、当該時間帯において吸収性物品１０から尿漏れを生じた場所を推定して、推定された場所から尿漏れが生じないような吸収性物品１０の当て方をアドバイスする。
【００８５】
また、本実施形態の吸収性物品の当て方提案方法では、好ましくは当て方提案ステップＳ４は、傾きデータ記憶ステップＳ２で記憶された当該時間帯における傾きデータから、当該時間帯における吸収性物品のズレの有無を推定して、ズレを生じていると推定された場合の提案も含めて、吸収性物品１０の当て方をアドバイスする。
【００８６】
さらに、本実施形態の吸収性物品の当て方提案方法では、好ましくは推定された吸収性物品１０から尿漏れを生じた場所に対応する、吸収性物品１０の当て方に関するアドバイス項目を記憶するアドバイス項目記憶ステップＳ５を備えており、当て方提案ステップＳ４では、アドバイス項目記憶ステップＳ５で記憶されたアドバイス項目を選択して、推定された場所から尿漏れが生じないような吸収性物品の当て方をアドバイスする。
【００８７】
本実施形態の吸収性物品の当て方提案方法により、被介護者の吸収性物品１０からの尿漏れを発見した場合に、介護者は、尿漏れを発見した時点以前の濡れ時の吸収性物品１０の装着状態から、尿漏れの発生原因となり得る装着状態を把握することができる。排尿データ記憶ステップＳ１は、本実施形態の吸収性物品の当て方提案装置１の排尿データ記憶部５０によって行われる。傾きデータ記憶ステップＳ２は、本実施形態の吸収性物品の当て方提案装置１の傾きデータ記憶部６０によって行われる。姿勢判定ステップＳ３は、本実施形態の吸収性物品の当て方提案装置１の姿勢判定部７０によって行われる。当て方提案ステップＳ４は、本実施形態の吸収性物品の当て方提案装置１の当て方提案部８０によって行われる。アドバイス項目記憶ステップＳ５は、本実施形態の吸収性物品の当て方提案装置１のアドバイス項目記憶部８５によって行われる。
【００８８】
次に、本発明の好ましい一実施形態に係る吸収性物品装着状態提示システムについて説明する。吸収性物品装着状態提示システム１Ｓ（図１４参照）は、吸収性物品１０に取り付けられた排尿センサー２０によって測定される吸収性物品の尿の濡れ広がりによるインピーダンス変化に基づき、前記吸収性物品への着用者の排尿による濡れデータを取得する濡れデータ取得装置５００と、吸収性物品１０に取り付けられた加速度センサー３４によって測定される加速度センサーの傾きデータに基づき、吸収性物品の着用者の排尿時における吸収性物品１０の装着状態を判定し、その判定結果を提示する装着状態情報提示装置６００とを含む。
濡れデータ取得装置５００は、排尿センサー２０によって測定されるインピーダンスの変化が特定値以上である時点を濡れ時と特定する。
装着状態情報提示装置６００は、加速度センサ−３４の傾きデータに基づき、前記吸収性物品の傾き及び位置ずれに関する装着状態を判定する装着状態判定部６１’と、濡れ時の前記装着状態の情報を出力する情報出力部６４’とを含む。
【００８９】
本実施形態の吸収性物品装着状態提示システム１Ｓ（図１５参照）は、濡れデータ取得装置５００と、装着状態情報提示装置６００とが、通信回線を介して協働する。通信回線は、有線又は無線の何れであっても良い。通信回線の例としては、例えば、通信ケーブル、ローカルエリアネットワーク（ＬＡＮ）回線及びインターネット回線等のネットワーク回線が挙げられる。
本実施形態の吸収性物品装着状態提示システム１Ｓの導入例として、濡れデータ取得装置５００と、装着状態情報提示装置６００とが、別々の部屋に設置され、両装置５００，６００が無線通信回線を介して協働する実施形態が挙げられる（図１５参照）。以下、斯かる実施形態を例に本発明の吸収性物品装着状態提示システム１Ｓを説明する。
【００９０】
本実施形態において、吸収性物品における尿の濡れ広がりによるインピーダンスの経時的な変化は、前述の吸収性物品の当て方提案装置１と同様に、吸収性物品１０に取り付けられた排尿センサー２０によって測定される。本実施形態の排尿センサー２０は、前述のデータ収集部３０と同じ構成を含んでおり、インピーダンス検出部３１から取得した電圧データ（インピーダンス要素による分圧電圧どうしの差電圧）を時刻データと共にデータロガー３２に保存する。また、前述したように、加速度センサー３４の傾きデータもデータロガー３２に保存される。このデータロガー３２が保存するデータ（インピーダンスの変化量のデータ及び加速度センサー３４の傾きデータ）は、有線又は無線通信を介して濡れデータ取得装置５００のデータ取得部４１’に送られる（図１４参照）。
【００９１】
本実施形態の濡れデータ取得装置５００はノート型ＰＣであるが、デスクトップ型ＰＣ、ラップトップ型ＰＣ、ネットブック型ＰＣ、ハンドヘルド型ＰＣ、タブレット型ＰＣのパソコン、サーバマシン、又は携帯端末（スマートフォンなど）等の汎用コンピュータを用いることができる。
【００９２】
濡れデータ取得装置５００は、図１６に示すように、インピーダンスの経時的な変化量（以下、濡れデータともいう）と、加速度センサー３４の傾きデータを記録する濡れ情報記録部５５’と、該濡れデータを装着状態情報提示装置６００に送信する送信部５６’とを含む。濡れデータ取得装置５００として、前述した情報処理装置を用いることができる。
本実施形態の濡れ情報記録部５５’は、インピーダンスの経時的な変化量と共に、濡れ検出部により特定された濡れ時刻、該濡れ時刻時のインピーダンスの変化量、及び加速度センサー３４の傾きデータをそれぞれ濡れデータ取得装置５００内のデータベース５７’に保存する。本実施形態のように、濡れデータ取得装置５００は、インピーダンスの経時的な変化量を演算する機能、即ち、濡れ時刻演算部を有していても良い。
本実施形態の送信部５６’は、データベース５７内の濡れデータ及び加速度センサー３４の傾きデータを、無線通信回線を介して、濡れデータを装着状態情報提示装置６００に送信する。濡れデータの送信のタイミングは、濡れデータが取得されたタイミング等の任意のタイミングとすることができる。また、介護者等が濡れデータの送信を実行するための操作を行うことにより、前記送信が実行されても良い。
【００９３】
装着状態情報提示装置６００は、加速度センサー３４によって測定される加速度センサーの傾きデータに基づき、着用者の濡れ時における吸収性物品１０の装着状態を判定し、該装着状態の情報を提示する。本実施形態の装着状態情報提示装置６００は、前述した装着状態判定部６１’及び情報出力部６４’の他に、濡れデータを受信するデータ受信部６５’を含む。装着状態情報提示装置６００として、前述の情報処理装置を用いることができる。
データ受信部６５’は、無線通信回線を介して濡れデータ取得装置５００から送信された濡れデータ及び加速度センサー３４の傾きデータを受信する。この濡れデータ及び加速度センサー３４の傾きデータは、装着状態情報提示装置６００のデータベース６６’内に記憶される。
本実施形態の装着状態情報提示装置６００における装着状態判定部６１’は、データ受信部６５’により受信して、データベース６６’内に記憶された濡れデータ及び加速度センサー３４の傾きデータに基づき、濡れ時刻における吸収性物品１０の傾き及び位置ずれを判定する。そして、同装置６００における情報出力部６４’は、前記濡れデータに含まれる濡れ時刻の情報、並びに加速度センサー３４の傾きデータに基づいて前記装着状態判定部６１’が判定した吸収性物品１０の傾き及び位置ずれの情報を、濡れ時の装着状態の情報として、濡れデータ取得装置５００の表示部５０１等に出力する。また、装着状態情報提示装置６００の表示部６０１（図１５参照）に同様の内容を表示してもよい。
装着状態情報提示装置６００の情報出力部６４’が出力する情報は、前記濡れ時の装着状態の情報以外に、前述の濡れ情報テーブル９５、生活情報テーブル９７又は着用者情報テーブル９８に保存される情報を出力することが好ましい。前述の濡れ情報テーブル９５、生活情報テーブル９７又は着用者情報テーブル９８に保存される情報は、濡れデータ取得装置５００及び装着状態情報提示装置６００は、少なくとも何れか一方のデータベース５７’，６６’内に記憶することができる。
【００９４】
濡れデータ取得装置５００及び装着状態情報提示装置６００の少なくとも何れか一方は、インピーダンスの経時的な変化量を演算する機能を有していても良い。インピーダンスの変化量を演算する機能とは、該インピーダンスの変化量から尿吸収量を演算する機能、即ち前述した尿吸収量演算部５３が具備する機能である。例えば、装着状態情報提示装置６００は、前述の演算機能を有さずに、濡れデータ取得装置５００から尿吸収量の情報を受信するよう構成されていても良い。また、濡れデータ取得装置５００は、前述の演算機能を有さずに、インピーダンスの変化量の情報を装着状態情報提示装置６００に送信し、該装着状態情報提示装置６００が、インピーダンスの変化量を尿吸収量に算出するよう構成されていても良い。
【００９５】
情報出力部６４’は、前述した吸収性物品１０の装着状態等の情報を、無線通信回線を介して、濡れデータ取得装置５００が備える表示部５０１等に出力する。情報出力部６４’が前記情報を出力する出力先は、濡れデータ取得装置５００及び装着状態情報提示装置６００の少なくとも何れか一方であることが好ましい。
【００９６】
次に本発明の好ましい一実施形態に係る排尿タイプ分け提案装置７００について説明する。本実施形態の排尿タイプ分け提案装置７００（図１７参照）は、尿を吸収する吸収性物品１０に取り付けられた排尿センサー２０によって測定された、吸収性物品１０における尿の濡れ広がりによるインピーダンス変化に基づく着用者の排尿データを、排尿時刻データと共に記憶する排尿データ記憶部７０１と、吸収性物品１０に取り付けられた加速度センサー３４によって測定された傾きデータを、時刻データと共に記憶する傾きデータ記憶部７０２と、排尿タイプ判定部７０３と、排尿態様判定部７０４と、動きタイプ判定部７０５と、提案表示部７０６とを含んでいる。排尿タイプ判定部７０３は、排尿データ記憶部７０１に記憶されたデータに基づいて、１日の排尿量が多いＡタイプと、１日の排尿回数が多いＢタイプと、１日の排尿量及び排尿回数が適正なＣタイプと、１日の排尿量及び排尿回数が少ないＤタイプとに、着用者をタイプ分けする。排尿態様判定部７０４は、排尿データ記憶部７０１に記憶されたデータに基づいて、排尿回数が夜に多い排尿夜型タイプと、排尿回数が日中に多い排尿日中型タイプと、一日中排尿が行われている排尿一日中型タイプとに、着用者をタイプ分けする。動きタイプ判定部７０５は、傾きデータ記憶部７０２に記憶されたデータに基づいて、動きが日中に多い動き日中型タイプと、動きが夜に多い動き夜型タイプと、１日中動きが少ない動き１日傾眠型タイプとに、着用者をタイプ分けする。提案表示部７０６は、排尿タイプ判定部７０３、排尿態様判定部７０４、及び動きタイプ判定部７０５で各々タイプ分けされたタイプを掛け合わせて得られた、各々の掛け合わせタイプに対応するアドバイスを、アドバイス項目記憶部（タイプ分け情報テーブル）７０７から取り出して表示する。
【００９７】
排尿データ記憶部７０１は、上述の吸収性物品の当て方提案装置１の排尿データ記憶部５０と同様の構成を備えている。傾きデータ記憶部７０２は、上述の吸収性物品の当て方提案装置１の傾きデータ記憶部６０と同様の構成を備えている。
【００９８】
排尿タイプ判定部７０３は、着用者の排尿の特徴を見つける機能を備えており、排尿データ記憶部７０１によって記憶されたデータに基づいて、１日の排尿量が多いＡタイプと、１日の排尿回数が多いＢタイプと、１日の排尿量及び排尿回数が適正なＣタイプと、１日の排尿量及び排尿回数が少ないＤタイプとに、着用者をタイプ分けする。排尿タイプ判定部７０３は改善アドバイス記憶部７０３ａを備えている。改善アドバイス記憶部７０３ａは、例えば介護者によって入力された、タイプ分けされた着用者に適した改善アドバイス情報を、データベース９０のタイプ分け情報テーブル７０７に記憶させることができる。
【００９９】
排尿タイプ判定部７０３でタイプ分けされた着用者に適した改善アドバイス情報は、１日の排尿量が多いＡタイプの着用者に対しては、例えば「吸収量が多いようです。水分を取り過ぎていませんか？量が多い原因を調べて貰いましょう！」であり、１日の排尿回数が多いＢタイプの着用者に対しては、例えば「１日の吸収回数が多いようです。心配なことやストレスはありませんか？」であり、１日の排尿量及び排尿回数が適正なＣタイプの着用者に対しては、例えば「排尿量、回数ともに良いようです。この状態を維持して行きましょう！」であり、１日の排尿量及び排尿回数が少ないＤタイプの着用者に対しては、例えば「排尿量、回数が少ないようです。水分はとっていますか？原因を調べて貰いましょう！」である。
【０１００】
排尿態様判定部７０４は、着用者の排尿の様子から、最適なパッドやケア商品を提案する機能を備えており、排尿データ記憶部７０１によって記憶されたデータに基づいて、排尿回数が夜に多い排尿夜型タイプと、排尿回数が日中に多い排尿日中型タイプと、一日中排尿が行われている排尿一日中型タイプとに、着用者をタイプ分けする。排尿態様判定部７０４は、改善アドバイス記憶部７０４ａを備えている。改善アドバイス記憶部７０４ａは、例えば介護者によって入力された、タイプ分けされた着用者に適した改善アドバイス情報を、データベース９０のタイプ分け情報テーブル７０７に記憶させることができる。
【０１０１】
排尿態様判定部７０４でタイプ分けされた着用者に適した改善アドバイス情報は、排尿回数が夜に多い排尿夜型タイプの着用者に対しては、例えば「寝る前の飲水量や、日中の活動、足浴、温める等工夫してみましょう！日中布パンツを検討してみては！また、原因を調べてみましょう！」であり、排尿回数が日中に多い排尿日中型タイプの着用者に対しては、例えば「このままの状態を維持していきましょう！」であり、一日中排尿が行われている排尿一日中型タイプの着用者に対しては、例えば「快適に過ごせるよう、パッドや交換時間を工夫しましょう。また、肌トラブル防止にケア剤の活用も工夫しましょう！また、原因を調べてもらいましょう！」である。
【０１０２】
動きタイプ判定部７０５は、着用者の動きの様子から、着用者の過ごし方を提案する機能を備えており、傾きデータ記憶部７０２によって記憶されたデータに基づいて、動きが日中に多い動き日中型タイプと、動きが夜に多い動き夜型タイプと、１日中動きが少ない動き１日傾眠型タイプとに、着用者をタイプ分けする。動きタイプ判定部７０５は、改善アドバイス記憶部７０５ａを備えている。改善アドバイス記憶部７０５ａは、例えば介護者によって入力された、タイプ分けされた着用者に適した改善アドバイス情報を、データベース９０のタイプ分け情報テーブル７０７に記憶させることができる。
【０１０３】
動きタイプ判定部７０５でタイプ分けされた着用者に適した改善アドバイス情報は、動きが日中に多い動き日中型タイプの着用者に対しては、例えば「そのまま維持しましょう！」であり、動きが夜に多い動き夜型タイプの着用者に対しては、例えば「ブライトケアや日中の活動ＵＰ等の工夫をしましょう！」であり、１日中動きが少ない動き１日傾眠型タイプの着用者に対しては、例えば「昼の声掛け等、夜のメリハリがつくように工夫しましょう！」である。
【０１０４】
提案表示部７０６は、排尿タイプ判定部７０３、排尿態様判定部７０４、及び動きタイプ判定部７０５で各々タイプ分けされたタイプを掛け合わせて得られた、各々の掛け合わせタイプに対応するアドバイスを、アドバイス項目記憶部であるデータベースのタイプ分け情報テーブル７０７から取り出して、各々の改善アドバイス記憶部７０３ａ，７０４ａ，７０５ａによって記憶された改善アドバイス情報を、各々の掛け合わせタイプに適するように適切に掛け合わせた状態で、提案表示部７０６によって表示部に表示させることができる。
【０１０５】
これらによって、本実施形態の排尿タイプ分け提案装置７００によれば、排尿タイプ、排尿様態、動きタイプの組合せによる着用者の排尿や動きの情報から、着用者の生活の様子を推定して、生活に関する情報を提案することができる。このように、介護者に着用者の生活の質の向上に役立つ情報を提案することができる。
【０１０６】
また、本実施形態の排尿タイプ分け提案装置７００は、タイプ分け表示部７０８を含んでいる。タイプ分け表示部７０８は、吸収性物品を着用する着用者が、排尿タイプ判定部７０３、排尿態様判定部７０４、及び動きタイプ判定部７０５で各々タイプ分けされたいずれのタイプに属するかを、例えば図１８に示すチャートによって、まとめて表示できる。
【０１０７】
図１８に示すチャートは、横軸は一日の吸収量すなわち一日の総排尿量、縦軸は一日の排尿回数となっており、特定の着用者がチャート内のどこに位置するかによって、排尿のタイプを判別することが可能である。すなわち、図１８に示すチャートでは、排尿タイプ判定部７０３でタイプ分けされた、Ａタイプ、Ｂタイプ、Ｃタイプ、及びＤタイプは、例えばこれらが属する区画されたＡタイプゾーン、Ｂタイプゾーン、Ｃタイプゾーン、及びＤタイプゾーンによって、一見してこれらのタイプを識別できるようになっている。排尿態様判定部７０４でタイプ分けされた排尿夜型タイプ、排尿日中型タイプ、及び排尿一日中型タイプは、例えば排尿夜型タイプを星印、排尿日中型タイプを丸印、排尿一日中型タイプを四角印として各々表示することによって、一見してこれらのタイプを識別できるようになっている。動きタイプ判定部７０５でタイプ分けされた、動き日中型タイプ、動き夜型タイプ、及び１日傾眠型タイプは、例えば動き日中型タイプを白色、動き夜型タイプを黒色、１日傾眠型タイプを灰色に各々着色することによって、一見してこれらのタイプを識別できるようになっている。
【０１０８】
吸収性物品を着用する着用者が、排尿タイプ判定部７０３、排尿態様判定部７０４、及び動きタイプ判定部７０５で各々タイプ分けされたいずれのタイプに属するかを、まとめて表示することにより、着用者のタイプが一目でわかるとともに、タイプ間の境界にある等の、着用者の状態を細かく把握でき、着用者の生活改善の手法の検討を容易に行うことが可能になる。
【０１０９】
次に、本発明の好ましい一実施形態に係る排尿タイプ分け提案方法を、前述の排尿タイプ分け提案装置７００を用いて行う実施形態を例に、図１９のフローチャートを参照しながら説明する。本実施形態の吸収性物品の当て方提案方法は、尿を吸収する吸収性物品１０に取り付けられた排尿センサー２０によって測定された、吸収性物品１０における尿の濡れ広がりによるインピーダンス変化に基づく着用者の排尿データを、排尿時刻データと共に記憶する排尿データ記憶ステップＳ１１と、吸収性物品１０に取り付けられた加速度センサー３４によって測定された傾きデータを、時刻データと共に記憶する傾きデータ記憶ステップＳ１２と、排尿タイプ判定ステップＳ１３と、排尿態様判定ステップＳ１４と、動きタイプ判定ステップＳ１５と、提案表示ステップＳ１６とを含んでいる。排尿タイプ判定ステップＳ１３は、排尿データ記憶ステップＳ１１で記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けする。排尿態様判定ステップＳ１４は、排尿データ記憶ステップＳ１１で記憶されたデータに基づいて、排尿回数が夜に多い夜型タイプと、排尿回数が日中に多い日中型タイプと、一日中排尿が行われている一日中型タイプとに、着用者をタイプ分けする。動きタイプ判定ステップＳ１５は、傾きデータ記憶ステップＳ１２で記憶されたデータに基づいて、動きが日中に多い日中型タイプと、動きが夜に多い夜型タイプと、１日中動きが少ない１日傾眠型タイプとに、着用者をタイプ分けする。提案表示ステップＳ１６は、排尿タイプ判定ステップＳ１３、排尿態様判定ステップＳ１４、及び動きタイプ判定ステップＳ１５で各々タイプ分けされたタイプを掛け合わせて得られた、各々の掛け合わせタイプに対応するアドバイスを、アドバイス項目記憶部であるタイプ分け情報テーブル７０７から取り出して表示する。
【０１１０】
また、本実施形態の排尿タイプ分け提案方法では、好ましくはタイプ分け表示ステップＳ１７を含んでおり、タイプ分け表示ステップＳ１７は、吸収性物品１０を着用する着用者が、排尿タイプ判定ステップＳ１３、排尿態様判定ステップＳ１４、及び動きタイプ判定ステップＳ１５で各々タイプ分けされたいずれのタイプに属するかを、まとめて表示する。
【０１１１】
本実施形態の排尿タイプ分け提案方法により、着用者の排尿タイプ、排尿態様、動きタイプを一目で把握でき、着用者の課題の把握と対応策の策定が容易となる。排尿データ記憶ステップＳ１１は、本実施形態の排尿タイプ分け提案装置７００の排尿データ記憶部７０１によって行われる。傾きデータ記憶ステップＳ１２は、本実施形態の排尿タイプ分け提案装置７００の傾きデータ記憶部７０２によって行われる。排尿タイプ判定ステップＳ１３は、本実施形態の排尿タイプ分け提案装置７００の排尿タイプ判定部７０３によって行われる。排尿態様判定ステップＳ１４は、本実施形態の排尿タイプ分け提案装置７００の排尿態様判定部７０４によって行われる。動きタイプ判定ステップＳ１５は、本実施形態の排尿タイプ分け提案装置７００の動きタイプ判定部７０５によって行われる。提案表示ステップＳ１６は、本実施形態の排尿タイプ分け提案装置７００の動きタイプ判定部７０５によって行われる。タイプ分け表示ステップＳ１７は、本実施形態の排尿タイプ分け提案装置７００のタイプ分け表示部７０８によって行われる。
【０１１２】
次に本発明の好ましい一実施形態に係る肌トラブル対処方提案装置８００について説明する。本実施形態の肌トラブル対処方提案装置８００（図２０参照）は、尿を吸収する吸収性物品１０に取り付けられた排尿センサー２０によって測定された、吸収性物品１０における尿の濡れ広がりによるインピーダンス変化に基づく着用者の排尿データを、排尿時刻データと共に記憶する排尿データ記憶部８０１と、吸収性物品１０に取り付けられた加速度センサー３４によって測定された傾きデータを、時刻データと共に記憶する傾きデータ記憶部８０２と、最初排尿後経過時間判定部８０３と、最初排尿後姿勢判定部８０４と、肌トラブル対処方法提案部８０５とを含んでいる。最初排尿後経過時間判定部８０３は、排尿データ記憶部８０１に記憶されたデータに基づいて、吸収性物品１０を交換した後に最初に排尿が吸収されてから、予め設定された所定の時間を経過したか否かを判定する。最初排尿後姿勢判定部８０４は、傾きデータ記憶部８０２に記憶されたデータに基づいて、吸収性物品１０を交換した後に最初に排尿が吸収されてから、着用者が同じ姿勢を保持した状態で、予め設定された所定の時間が経過したか否かを判定する。肌トラブル対処方法提案部８０５は、最初排尿後姿勢判定部８０４によって判定された、吸収性物品１０を交換した後に最初に排尿が吸収されてから、着用者が同じ姿勢を保持した状態で、予め設定された所定の時間を経過したか否かに応じた対処方法を、対処方法記憶部（最初排尿後情報テーブル）８０６から取り出して提案する。
【０１１３】
排尿データ記憶部８０１は、上述の吸収性物品の当て方提案装置１の排尿データ記憶部５０と同様の構成を備えている。傾きデータ記憶部８０２は、上述の吸収性物品の当て方提案装置１の傾きデータ記憶部６０と同様の構成を備えている。
【０１１４】
最初排尿後経過時間判定部８０３は、排尿データ記憶部８０１に記憶されたデータに基づいて、吸収性物品１０を交換した後に最初に排尿が吸収されてから、次に吸収性物品１０が交換されるまでの時間として、予め設定された例えば３時間の所定の時間を経過したか否かを判定する。最初に排尿が吸収されてから例えば３時間の所定の時間を経過した場合と経過していない場合の双方について、最初排尿後姿勢判定部８０４によって、その間に姿勢の変更があったか否かを判定する。
【０１１５】
最初排尿後姿勢判定部８０４は、傾きデータ記憶部８０２に記憶されたデータに基づいて、吸収性物品１０を交換した後に最初に排尿が吸収されてから、着用者が同じ姿勢を保持した状態で、予め設定された例えば３時間の所定の時間が経過したか否かを判定する。すなわち、最初排尿後姿勢判定部８０４は、最初排尿後経過時間判定部８０３で、最初に排尿が吸収されてから例えば３時間の所定の時間を経過していないと判定された場合には、その間に姿勢の変更があったか否かを判定し、姿勢の変更あっと判定されたら、肌トラブルの危険がないとして、肌トラブル対処方法提案部８０５によって、肌トラブルの危険がない旨を表示させる。その間に姿勢の変更がないと判定されたら、例えば圧迫による肌トラブルの危険があるとして、肌トラブル対処方法提案部８０５によって、例えば介護者に体位の変換を促す提案を表示させる。
【０１１６】
また、最初排尿後姿勢判定部８０４は、最初排尿後経過時間判定部８０３によって最初に排尿が吸収されてから、例えば３時間の所定の時間を経過したと判定された場合には、例えば図２１に示す尿吸収量とおむつの傾きとの時系列情報において、その間に姿勢の変更があったか否かを判定する。図２１に示す９時から１３時までの時間帯では、９時に最初の排尿が確認されてから、次に吸収性物品１０が交換される１３時まで４時間の間、着用者は座ったままの同じ状態を保持しており、したがって着用者が同じ姿勢を保持した状態で、３時間の所定の時間が経過したと判断される。このような場合には、例えば褥瘡による肌トラブルの危険があるとして、肌トラブル対処方法提案部８０５によって、例えば着用者の姿勢を変えさせるよう促す警報を、例えば表示者向けに表示させる。図２１に示す２３時３０分から３時４５分までの時間帯では、２３時３０分に排尿が確認されてから、吸収性物品１０が交換されないまま３時間以上経過しているが、着用者は、右向きに寝た状態からリクライニング程度に姿勢を変更させている。このような場合も、例えば湿潤による肌トラブルの危険があるとして、肌トラブル対処方法提案部８０５によって、例えば介護者に向けた保護オイルの塗布を促す提案を表示させる。
【０１１７】
これらによって、本実施形態の肌トラブル対処方提案装置８００によれば、吸収性物品１０を交換した後に最初に排尿が吸収されてから、同じ姿勢で長時間過ごすことで、肌荒れなどにつながり易くなるのを、効果的に回避することが可能になると共に、吸収性物品１０を交換した後に最初に排尿が吸収されてから、同じ姿勢を長時間保持した場合でも、肌ケアのための適切なアドバイスを提示することが可能になる。
【０１１８】
次に、本発明の好ましい一実施形態に係る肌トラブル対処方提案方法を、前述の肌トラブル対処方提案装置８００を用いて行う実施形態を例に、図２２のフローチャートを参照しながら説明する。本実施形態の肌トラブル対処方提案方法は、尿を吸収する吸収性物品１０に取り付けられた排尿センサー２０によって測定された、吸収性物品１０における尿の濡れ広がりによるインピーダンス変化に基づく着用者の排尿データを、排尿時刻データと共に記憶する排尿データ記憶ステップＳ２１と、吸収性物品１０に取り付けられた加速度センサー３４によって測定された傾きデータを、時刻データと共に記憶する傾きデータ記憶ステップＳ２２と、最初排尿後経過時間判定ステップＳ２３と、最初排尿後姿勢判定ステップＳ２４と、肌トラブル対処方法提案ステップＳ２５とを含んでいる。最初排尿後経過時間判定ステップＳ２３は、排尿データ記憶ステップＳ２１で記憶されたデータに基づいて、吸収性物品１０を交換した後に最初に排尿が吸収されてから、予め設定された所定の時間を経過したか否かを判定する。最初排尿後姿勢判定ステップＳ２４は、傾きデータ記憶部８０２で記憶されたデータに基づいて、吸収性物品１０を交換した後に最初に排尿が吸収されてから、着用者が同じ姿勢を保持した状態で、予め設定された所定の時間が経過したか否かを判定する。肌トラブル対処方法提案ステップＳ２５は、最初排尿後姿勢判定ステップＳ２４によって判定された、吸収性物品１０を交換した後に最初に排尿が吸収されてから、着用者が同じ姿勢を保持した状態で、予め設定された所定の時間を経過したか否かに応じた対処方法を、対処方法記憶部８０６から取り出して提案する。
【０１１９】
本実施形態の肌トラブル対処方提案方法によれば、上述の肌トラブル対処方提案装置８００と同様の作用効果が奏される。排尿データ記憶ステップＳ２１は、本実施形態の肌トラブル対処方提案装置８００の排尿データ記憶部８０１によって行われる。傾きデータ記憶ステップＳ２２は、本実施形態の肌トラブル対処方提案装置８００の傾きデータ記憶部８０２によって行われる。最初排尿後経過時間判定ステップＳ２３は、本実施形態の肌トラブル対処方提案装置８００の最初排尿後経過時間判定部８０３によって行われる。最初排尿後姿勢判定ステップＳ２４は、本実施形態の肌トラブル対処方提案装置８００の最初排尿後姿勢判定部８０４によって行われる。肌トラブル対処方法提案ステップＳ２５は、本実施形態の肌トラブル対処方提案装置８００の肌トラブル対処方法提案部８０５によって行われる。
【０１２０】
尚、本発明は上記実施形態に限定されることなく種々の変更が可能である。例えば、本発明の吸収性物品の当て方提案装置１は、データ取得部４１を具備しておらず、インピーダンス変化量のデータを、当て方提案装置１である情報処理装置１００とは別の情報処理装置４００が取得していたが、当て方提案装置１自体がデータ取得部４１を具備しており、該当て方提案装置１が、インピーダンス変化量のデータを取得しても良い。
【０１２１】
上述した本発明の実施形態に関し、本発明は更に以下の吸収性物品の当て方提案装置、吸収性物品の当て方提案方法、排尿タイプ分け提案装置、排尿タイプ分け提案方法、肌トラブル対処方提案装置、及び肌トラブル対処方提案方法を開示する。
【０１２２】
＜１＞  尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、前記排尿データ記憶部及び前記傾きデータ記憶部に記憶されているデータから、排尿時における着用者の姿勢を判定する姿勢判定部と、吸収性物品の交換時における着用者への吸収性物品の当て方をアドバイスする当て方提案部とを含んでおり、
該当て方提案部は、介護者によって入力された、前記吸収性物品からの尿漏れを確認した時刻に基づいて、当該尿漏れを生じた前記吸収性物品が着用されている時間帯を特定すると共に、前記排尿データ記憶部及び前記傾きデータ記憶部に記憶されているデータに基づいて、前記姿勢判定部で判定された当該時間帯における排尿時の着用者の姿勢から、当該時間帯において前記吸収性物品から尿漏れを生じた場所を推定して、推定された場所から尿漏れが生じないような吸収性物品の当て方をアドバイスする吸収性物品の当て方提案装置。
【０１２３】
＜２＞  前記当て方提案部は、前記傾きデータ記憶部に記憶された当該時間帯における前記傾きデータから、当該時間帯における前記吸収性物品のズレの有無を推定して、ズレを生じていると推定された場合の提案も含めて、吸収性物品の当て方をアドバイスする、前記＜１＞に記載の吸収性物品の当て方提案装置。
【０１２４】
＜３＞  推定された前記吸収性物品から尿漏れを生じた場所に対応する、吸収性物品の当て方に関するアドバイス項目を記憶するアドバイス項目記憶部を備えており、前記当て方提案部は、前記アドバイス項目記憶部に記憶されたアドバイス項目を選択して、推定された場所から尿漏れが生じないような吸収性物品の当て方をアドバイスする、前記＜１＞又は＜２＞に記載の吸収性物品の当て方提案装置。
【０１２５】
＜４＞  前記傾きデータおよび前記排尿データは、０．１〜６０秒ごとに保存されている、前記＜１＞〜＜３＞のいずれか１に記載の吸収性物品の当て方提案装置。
【０１２６】
＜５＞  前記傾きデータおよび前記排尿データは、０．１〜１０秒ごとに保存されている、前記＜１＞〜＜３＞のいずれか１に記載の吸収性物品の当て方提案装置。
【０１２７】
＜６＞  前記加速度センサーは、前記吸収性物品の腹側に取り付けられている、前記＜１＞〜＜５＞のいずれか１に記載の吸収性物品の当て方提案装置。
【０１２８】
＜７＞  尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、前記排尿データ記憶ステップ及び前記傾きデータ記憶ステップで記憶されたデータから、排尿時における着用者の姿勢を判定する姿勢判定ステップと、吸収性物品の交換時における着用者への吸収性物品の当て方をアドバイスする当て方提案ステップとを含んでおり、
該当て方提案ステップは、介護者によって入力された、前記吸収性物品からの尿漏れを確認した時刻に基づいて、当該尿漏れを生じた前記吸収性物品が着用されている時間帯を特定すると共に、前記排尿データ記憶ステップ及び前記傾きデータ記憶ステップで記憶されたデータに基づいて、前記姿勢判定ステップで判定された当該時間帯における排尿時の着用者の姿勢から、当該時間帯において前記吸収性物品から尿漏れを生じた場所を推定して、推定された場所から尿漏れが生じないような吸収性物品の当て方をアドバイスする吸収性物品の当て方提案方法。
【０１２９】
＜８＞  前記当て方提案ステップは、前記傾きデータ記憶ステップで記憶された当該時間帯における前記傾きデータから、当該時間帯における前記吸収性物品のズレの有無を推定して、ズレを生じていると推定された場合の提案も含めて、吸収性物品の当て方をアドバイスする、前記＜７＞に記載の吸収性物品の当て方提案方法。
【０１３０】
＜９＞  推定された前記吸収性物品から尿漏れを生じた場所に対応する、吸収性物品の当て方に関するアドバイス項目を記憶するアドバイス項目記憶ステップを備えており、前記当て方提案ステップでは、前記アドバイス項目記憶ステップで記憶されたアドバイス項目を選択して、推定された場所から尿漏れが生じないような吸収性物品の当て方をアドバイスする、前記＜７＞又は＜８＞に記載の吸収性物品の当て方提案方法。
【０１３１】
＜１０＞  前記傾きデータ記憶ステップおよび前記排尿データ記憶ステップでは、０．１〜６０秒ごとの前記傾きデータおよび前記排尿データを記憶する、前記＜７＞〜＜９＞のいずれか１に記載の吸収性物品の当て方提案方法。
【０１３２】
＜１１＞  前記傾きデータ記憶ステップおよび前記排尿データ記憶ステップでは、０．１〜１０秒ごとの前記傾きデータおよび前記排尿データを記憶する、前記＜７＞〜＜９＞のいずれか１に記載の吸収性物品の当て方提案方法。
【０１３３】
＜１２＞  前記加速度センサーは、前記吸収性物品の腹側に取り付けられている、前記＜７＞〜＜１１＞のいずれか１に記載の吸収性物品の当て方提案方法。
【０１３４】
＜１３＞  尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、排尿タイプ判定部と、排尿態様判定部と、動きタイプ判定部と、提案表示部とを含んでおり、
前記排尿タイプ判定部は、前記排尿データ記憶部に記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けし、
前記排尿態様判定部は、前記排尿データ記憶部に記憶されたデータに基づいて、排尿回数が夜に多い夜型タイプと、排尿回数が日中に多い日中型タイプと、一日中排尿が行われている一日中型タイプとに、着用者をタイプ分けし、
前記動きタイプ判定部は、前記傾きデータ記憶部に記憶されたデータに基づいて、動きが日中に多い日中型タイプと、動きが夜に多い夜型タイプと、１日中動きが少ない１日傾眠型タイプとに、着用者をタイプ分けし、
前記提案表示部は、前記排尿タイプ判定部、前記排尿態様判定部、及び前記動きタイプ判定部で各々タイプ分けされたタイプを掛け合わせて得られた、各々の掛け合わせタイプに対応するアドバイスを、アドバイス項目記憶部から取り出して表示する排尿タイプ分け提案装置。
【０１３５】
＜１４＞  タイプ分け表示部を含んでおり、該タイプ分け表示部は、前記吸収性物品を着用する着用者が、前記排尿タイプ判定部、前記排尿態様判定部、及び前記動きタイプ判定部で各々タイプ分けされたいずれのタイプに属するかを、まとめて表示できる前記＜１３＞に記載の排尿タイプ分け提案装置。
【０１３６】
＜１５＞  前記傾きデータおよび前記排尿データは、０．１〜６０秒ごとに保存されている、前記＜１３＞又は＜１４＞に記載の排尿タイプ分け提案装置。
【０１３７】
＜１６＞  前記傾きデータおよび前記排尿データは、０．１〜１０秒ごとに保存されている、前記＜１３＞又は＜１４＞に記載の排尿タイプ分け提案装置。
【０１３８】
＜１７＞  前記加速度センサーは、前記吸収性物品の腹側に取り付けられている、前記＜１３＞〜＜１６＞のいずれか１に記載の排尿タイプ分け提案装置。
【０１３９】
＜１８＞  尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、排尿タイプ判定ステップと、排尿態様判定ステップと、動きタイプ判定ステップと、提案表示ステップとを含んでおり、
前記排尿タイプ判定ステップは、前記排尿データ記憶ステップで記憶されたデータに基づいて、１日の排尿量が多いタイプと、１日の排尿回数が多いタイプと、１日の排尿量及び排尿回数が適正なタイプと、１日の排尿量及び排尿回数が少ないタイプとに、着用者をタイプ分けし、
前記排尿態様判定ステップは、前記排尿データ記憶ステップで記憶されたデータに基づいて、排尿回数が夜に多い夜型タイプと、排尿回数が日中に多い日中型タイプと、一日中排尿が行われている一日中型タイプとに、着用者をタイプ分けし、
前記動きタイプ判定ステップは、前記傾きデータ記憶ステップで記憶されたデータに基づいて、動きが日中に多い日中型タイプと、動きが夜に多い夜型タイプと、１日中動きが少ない１日傾眠型タイプとに、着用者をタイプ分けし、
前記提案表示ステップは、前記排尿タイプ判定ステップ、前記排尿態様判定ステップ、及び前記動きタイプ判定ステップで各々タイプ分けされたタイプを掛け合わせて得られた、各々の掛け合わせタイプに対応するアドバイスを、アドバイス項目記憶部から取り出して表示する排尿タイプ分け提案方法。
【０１４０】
＜１９＞  タイプ分け表示ステップを含んでおり、該タイプ分け表示ステップは、前記吸収性物品を着用する着用者が、前記排尿タイプ判定ステップ、前記排尿態様判定ステップ、及び前記動きタイプ判定ステップで各々タイプ分けされたいずれのタイプに属するかを、まとめて表示する、前記＜１８＞に記載の排尿タイプ分け提案方法。
【０１４１】
＜２０＞  前記傾きデータ記憶ステップおよび前記排尿データ記憶ステップでは、０．１〜６０秒ごとの前記傾きデータおよび前記排尿データを記憶する、前記＜１８＞又は＜１９＞に記載の排尿タイプ分け提案方法。
【０１４２】
＜２１＞  前記傾きデータ記憶ステップおよび前記排尿データ記憶ステップでは、０．１〜１０秒ごとの前記傾きデータおよび前記排尿データを記憶する、前記＜１８＞又は＜１９＞に記載の排尿タイプ分け提案方法。
【０１４３】
＜２２＞  前記加速度センサーは、前記吸収性物品の腹側に取り付けられている、前記＜１８＞〜＜２１＞のいずれか１に記載の排尿タイプ分け提案方法。
【０１４４】
＜２３＞  尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶部と、前記吸収性物品に取り付けられた加速度センサーによって測定された傾きデータを、時刻データと共に記憶する傾きデータ記憶部と、最初排尿後経過時間判定部と、最初排尿後姿勢判定部と、肌トラブル対処方法提案部とを含んでおり、
前記最初排尿後経過時間判定部は、前記排尿データ記憶部に記憶されたデータに基づいて、吸収性物品を交換した後に最初に排尿が吸収されてから、予め設定された所定の時間を経過したか否かを判定し、
前記最初排尿後姿勢判定部は、前記傾きデータ記憶部に記憶されたデータに基づいて、吸収性物品を交換した後に最初に排尿が吸収されてから、着用者が同じ姿勢を保持した状態で、予め設定された所定の時間が経過したか否かを判定し、
前記肌トラブル対処方法提案部は、前記最初排尿後姿勢判定部によって判定された、吸収性物品を交換した後に最初に排尿が吸収されてから、着用者が同じ姿勢を保持した状態で、予め設定された所定の時間を経過したか否かに応じた対処方法を、対処方法記憶部から取り出して提案する肌トラブル対処方提案装置。
【０１４５】
＜２４＞  前記傾きデータおよび前記排尿データは、０．１〜６０秒ごとに保存されている、前記＜２３＞に記載の肌トラブル対処方提案装置。
【０１４６】
＜２５＞  前記傾きデータおよび前記排尿データは、０．１〜１０秒ごとに保存されている、前記＜２３＞に記載の肌トラブル対処方提案装置。
【０１４７】
＜２６＞  前記加速度センサーは、前記吸収性物品の腹側に取り付けられている、前記＜２３＞〜＜２５＞のいずれか１に記載の肌トラブル対処方提案装置。
【０１４８】
＜２７＞  尿を吸収する吸収性物品に取り付けられた排尿センサーによって測定された、前記吸収性物品における尿の濡れ広がりによるインピーダンス変化に基づく着用者の排尿データを、排尿時刻データと共に記憶する排尿データ記憶ステップと、前記吸収性物品に取り付けられた加速度センサーによって測定された傾きデータを、時刻データと共に記憶する傾きデータ記憶ステップと、最初排尿後経過時間判定ステップと、最初排尿後姿勢判定ステップと、肌トラブル対処方法提案ステップとを含んでおり、
前記最初排尿後経過時間判定ステップは、前記排尿データ記憶ステップで記憶されたデータに基づいて、吸収性物品を交換した後に最初に排尿が吸収されてから、予め設定された所定の時間を経過したか否かを判定し、
前記最初排尿後姿勢判定ステップは、前記傾きデータ記憶部で記憶されたデータに基づいて、吸収性物品を交換した後に最初に排尿が吸収されてから、着用者が同じ姿勢を保持した状態で、予め設定された所定の時間が経過したか否かを判定し、
前記肌トラブル対処方法提案ステップは、前記最初排尿後姿勢判定ステップによって判定された、吸収性物品を交換した後に最初に排尿が吸収されてから、着用者が同じ姿勢を保持した状態で、予め設定された所定の時間を経過したか否かに応じた対処方法を、対処方法記憶部から取り出して提案する肌トラブル対処方提案方法。
【０１４９】
＜２８＞  前記傾きデータ記憶ステップおよび前記排尿データ記憶ステップでは、０．１〜６０秒ごとの前記傾きデータおよび前記排尿データを記憶する、前記＜２７＞に記載の肌トラブル対処方提案方法。
【０１５０】
＜２９＞  前記傾きデータ記憶ステップおよび前記排尿データ記憶ステップでは、０．１〜１０秒ごとの前記傾きデータおよび前記排尿データを記憶する、前記＜２７＞に記載の肌トラブル対処方提案方法。
【０１５１】
＜３０＞  前記加速度センサーは、前記吸収性物品の腹側に取り付けられている、前記＜２７＞〜＜２９＞のいずれか１に記載の肌トラブル対処方提案方法。
【符号の説明】
【０１５２】
１  吸収性物品の当て方提案装置
１０  吸収性物品
１１  尿とりパッド
１１ａ  表面シート
１１ｂ  裏面シート
１１ｃ  吸収体
１１ｄ  吸収性コア
１１ｅ  コアラップシート
１２  おむつ本体（使い捨ておむつ）
１２ａ  本体部表面シート
１２ｂ  本体部裏面シート
１２ｃ  本体部吸収体
１２ｄ  レッグギャザー
１３  ファスニングテープ
Ａ  腹側領域
Ｂ  背側領域
Ｃ  股下領域
２０  排尿センサー
２０ａ  センサー素子
２１  印刷電極
２１ａ  正電極
２１ｂ  負電極
２２  印刷基材
２３  導線部
２４，２４ａ，２４ｂ  端子部
２５  通気開口部
２６  粘着剤
２６ａ  非塗布部分
２７  被覆シ−ト（不織布）
２８  印刷導電層
３０  データ収集部
３１  インピーダンス検出部
３２  データロガー
３３  タイマー
３４  加速度センサー
４１  データ取得部
４２  取得データベース
５０  排尿データ記憶部
５１  濡れデータ取得部
５２  濡れ時刻演算部
５３  尿吸収量演算部
５４  濡れ検出部
６０  傾きデータ記憶部
６１  傾きデータ取得部
６３  情報選択部
６４  情報出力部
７０  姿勢判定部
７１  装着状態判定部
７２  情報出力部
８０  当て方提案部
８１  発見時刻記憶部
８２  情報出力部
８５  アドバイス項目記憶部
８６  着用者情報記憶部
８７  生活情報記憶部
９０  データベース
９２  濡れ時刻蓄積テーブル
９３  尿吸収量蓄積テーブル
９４  傾きデータ蓄積テーブル
９５  濡れ情報テーブル
９６  当て方情報テーブル
９７  生活情報テーブル
９８  着用者情報テーブル
１Ｓ  吸収性物品装着状態提示システム
１００，４００  情報処理装置
５００  濡れデータ取得装置
６００  装着状態情報提示装置 
７００  排尿タイプ分け提案装置
７０１  排尿データ記憶部
７０２  傾きデータ記憶部
７０３  排尿タイプ判定部
７０３ａ  改善アドバイス記憶部
７０４  排尿態様判定部
７０４ａ  改善アドバイス記憶部
７０５  動きタイプ判定部
７０５ａ  改善アドバイス記憶部
７０６  提案表示部
７０７  アドバイス項目記憶部（タイプ分け情報テーブル）
７０８  タイプ分け表示部
８００  肌トラブル対処方提案装置
８０１  排尿データ記憶部
８０２  傾きデータ記憶部
８０３  最初排尿後経過時間判定部
８０４  最初排尿後姿勢判定部
８０５  肌トラブル対処方法提案部
８０６  対処方法記憶部（最初排尿後情報テーブル）
【図１】
2018202154.tif 000005
【図２】
2018202154.tif 000006
【図３】
2018202154.tif 000007
【図４】
2018202154.tif 000008
【図５】
2018202154.tif 000009
【図６】
2018202154.tif 000010
【図７】
2018202154.tif 000011
【図８】
2018202154.tif 000012
【図９】
2018202154.tif 000013
【図１０】
2018202154.tif 000014
【図１１】
2018202154.tif 000015
【図１２】
2018202154.tif 000016
【図１３】
2018202154.tif 000017
【図１４】
2018202154.tif 000018
【図１５】
2018202154.tif 000019
【図１６】
2018202154.tif 000020
【図１７】
2018202154.tif 000021
【図１８】
2018202154.tif 000022
【図１９】
2018202154.tif 000023
【図２０】
2018202154.tif 000024
【図２１】
2018202154.tif 000025
【図２２】
2018202154.tif 000026